(57)【特許請求の範囲】
【請求項１】
複数の単位画像が所定順序で順次表示対象とされるとともに、文字表示を含む単位画像については当該単位画像内の文字を拡大表示する画像である拡大文字画像が対応づけられている表示コンテンツの表示制御を行う表示制御部と、
前記表示コンテンツの表示中において第１種操作と第２種操作を検知する操作検知部と、を備え、
前記表示制御部は、或る単位画像を表示させているときに前記第１種操作が検知されたことに応じて表示中の単位画像の後の順序の単位画像の表示制御を行い、また或る単位画像を表示させているときに前記第２種操作が検知されたことに応じて表示中の単位画像に対応する前記拡大文字画像の表示制御を行い、
前記第１種操作と前記第２種操作は、いずれも表示画像が第１方向へ進行するスクロールを指示する操作であり、該スクロールを指示する操作の操作速度により区別される
情報処理装置。
【請求項２】
前記表示制御部が表示対象とする表示コンテンツは、
一の単位画像と次の単位画像の間に、前記一の単位画像についての拡大文字画像が挿入される順序で、複数の単位画像と拡大文字画像が前記第１方向に並ぶ画像配列が設定されており、
前記表示制御部は、
単位画像を表示させているときに前記第１種操作が検知されたことに応じて、表示画像が前記第１方向へ進行する状態を経て、拡大文字画像を表示させずに次の単位画像が表示されるように表示制御を行い、
また単位画像を表示させているときに前記第２種操作が検知されたことに応じて、表示画像が前記第１方向へ進行する状態を経て、表示中の単位画像についての拡大文字画像が表示されるように表示制御を行う
請求項１に記載の情報処理装置。
【請求項３】
前記操作検知部は、前記第１方向へ表示画像が進行するスクロールを指示する操作の操作速度により前記第１種操作及び前記第２種操作と区別される第３種操作を検知し、
前記表示制御部は、前記第３種操作に応じて、複数の単位画像を連続してスクロール進行させる表示制御を行う
請求項１に記載の情報処理装置。
【請求項４】
前記表示制御部は、拡大文字画像を表示させている時点では、前記第１種操作又は前記第２種操作のいずれが検知された場合でも、単位画像の表示に遷移させる制御を行う
請求項２に記載の情報処理装置。
【請求項５】
前記表示制御部は、
或る単位画像を表示させているときに、前記操作検知部によって、前記第１方向とは逆方向への表示画像の遷移を指示する操作が検知された場合、表示中の単位画像の前の順序の単位画像の表示制御を行い、
或る拡大文字画像を表示させているときに、前記操作検知部によって、前記第１方向とは逆方向への表示画像の遷移を指示する操作が検知された場合、表示中の拡大文字画像が対応する元の単位画像の表示制御を行う
請求項１に記載の情報処理装置。
【請求項６】
前記表示制御部が表示対象とする表示コンテンツは、拡大文字画像の画像サイズが、拡大文字画像が対応する単位画像内の文字数に応じたサイズに設定されている
請求項２に記載の情報処理装置。
【請求項７】
前記表示制御部が表示対象とする表示コンテンツは、
吹き出し領域内に文字表示が行われる単位画像を有するとともに、複数の吹き出し領域を有する単位画像に対応する拡大文字画像は、各吹き出し領域の文字が区別されて拡大文字が表示される画像とされている
請求項１に記載の情報処理装置。
【請求項８】
複数の単位画像が所定順序で順次表示対象とされるとともに、文字表示を含む単位画像については当該単位画像内の文字を拡大表示する画像である拡大文字画像が対応づけられており、複数の単位画像が第１方向に順次配列されると共に、単位画像に対応する前記拡大文字画像は、単位画像に対して前記第１方向とは異なる第２方向に隣接配置されている表示コンテンツの表示制御を行う表示制御部と、
前記表示コンテンツの表示中において第１種操作と第２種操作を検知する操作検知部と、を備え、
前記表示制御部は、或る単位画像を表示させているときに前記第１種操作が検知されたことに応じて、前記第１方向に並ぶ次の単位画像が表示されるように表示制御を行い、また或る単位画像を表示させているときに前記第２種操作が検知されたことに応じて表示中の単位画像に対応する前記拡大文字画像の表示制御を行う
情報処理装置。
【請求項９】
前記第１種操作は表示画像の前記第１方向への遷移を指示する操作であり、
前記第２種操作は表示画像の前記第２方向への遷移を指示する操作である
請求項８に記載の情報処理装置。
【請求項１０】
前記表示制御部が表示対象とする表示コンテンツは、
吹き出し領域内に文字表示が行われる単位画像を有するとともに、複数の吹き出し領域を有する単位画像に対応して、複数の拡大文字画像が設けられ、単位画像内での吹き出し領域の位置関係に応じて、複数の拡大文字画像の配置位置関係が設定されており、
前記表示制御部は、前記第２方向の操作で指示される方向に応じていずれかの拡大文字画像の表示制御を行う
請求項８に記載の情報処理装置。
【請求項１１】
前記表示制御部は、
或る単位画像を表示させているときに、前記操作検知部によって、前記第１方向とは逆方向への表示画像の遷移を指示する操作が検知された場合、表示中の単位画像の前の順序の単位画像の表示制御を行い、
或る拡大文字画像を表示させているときに、前記操作検知部によって、前記第２方向とは逆方向への表示画像の遷移を指示する操作が検知された場合、表示中の拡大文字画像が対応する元の単位画像、又は次の単位画像の表示制御を行う
請求項９に記載の情報処理装置。
【請求項１２】
表示コンテンツを構成する単位画像内で文字表示用に設けられた吹き出し領域を特定する特定処理部と、
前記特定処理部で特定された吹き出し領域に表記されている文字を拡大して表示する拡大文字画像を生成する画像生成部と、
前記画像生成部が生成した拡大文字画像を、単位画像に関連づけて表示コンテンツに組み込むコンテンツ編集処理部と、を備え、
前記コンテンツ編集処理部は、一の単位画像と次の単位画像の間に、前記一の単位画像についての拡大文字画像が挿入される順序で、複数の単位画像と拡大文字画像が第１方向に並ぶ画像配列とするように表示コンテンツを編集する
情報処理装置。
【請求項１３】
表示コンテンツを構成する単位画像内で文字表示用に設けられた吹き出し領域を特定する特定処理部と、
前記特定処理部で特定された吹き出し領域に表記されている文字を拡大して表示する拡大文字画像を生成する画像生成部と、
前記画像生成部が生成した拡大文字画像を、単位画像に関連づけて表示コンテンツに組み込むコンテンツ編集処理部と、を備え、
前記コンテンツ編集処理部は、複数の単位画像が第１方向に順次配列されると共に、単位画像に対応する拡大文字画像は、単位画像に対して前記第１方向とは異なる第２方向に隣接配置されるように、表示コンテンツを編集する
情報処理装置。
【請求項１４】
情報処理装置が実行する情報処理方法として、
複数の単位画像が所定順序で順次表示対象とされるとともに、文字表示を含む単位画像については当該単位画像内の文字を拡大表示する画像である拡大文字画像が対応づけられている表示コンテンツの表示制御を行う表示制御ステップと、
前記表示コンテンツの表示中において第１種操作と第２種操作を検知する操作検知ステップと、
を実行するとともに、
前記表示制御ステップでは、或る単位画像を表示させているときに前記第１種操作が検知されたことに応じて表示中の単位画像の後の順序の単位画像の表示制御を行い、また或る単位画像を表示させているときに前記第２種操作が検知されたことに応じて表示中の単位画像に対応する前記拡大文字画像の表示制御を行い、
前記操作検知ステップでは、いずれも表示画像が第１方向へ進行するスクロールを指示する操作である前記第１種操作と前記第２種操作を、該スクロールを指示する操作の操作速度により区別する
情報処理方法。
【請求項１５】
複数の単位画像が所定順序で順次表示対象とされるとともに、文字表示を含む単位画像については当該単位画像内の文字を拡大表示する画像である拡大文字画像が対応づけられている表示コンテンツの表示制御を行う表示制御手順と、
前記表示コンテンツの表示中において、いずれも表示画像が第１方向へ進行するスクロールを指示する操作である第１種操作と第２種操作を、該スクロールを指示する操作の操作速度により区別し検知する操作検知手順と、
を情報処理装置に実行させるとともに、
前記表示制御手順では、或る単位画像を表示させているときに前記第１種操作が検知されたことに応じた表示中の単位画像の後の順序の単位画像の表示制御と、或る単位画像を表示させているときに前記第２種操作が検知されたことに応じた表示中の単位画像に対応する前記拡大文字画像の表示制御とを、
情報処理装置に実行させるプログラム。
【請求項１６】
複数の単位画像が所定順序で順次表示対象とされるとともに、文字表示を含む単位画像については当該単位画像内の文字を拡大表示する画像である拡大文字画像が対応づけられている表示コンテンツの表示制御を行う表示制御手順と、
前記表示コンテンツの表示中において、いずれも表示画像が第１方向へ進行するスクロールを指示する操作である第１種操作と第２種操作を、該スクロールを指示する操作の操作速度により区別し検知する操作検知手順と、
を情報処理装置に実行させるとともに、
前記表示制御手順では、或る単位画像を表示させているときに前記第１種操作が検知されたことに応じた表示中の単位画像の後の順序の単位画像の表示制御と、或る単位画像を表示させているときに前記第２種操作が検知されたことに応じた表示中の単位画像に対応する前記拡大文字画像の表示制御とを、
情報処理装置に実行させるプログラムを記憶した記憶媒体。
【請求項１７】
情報処理装置が実行する情報処理方法として、
複数の単位画像が所定順序で順次表示対象とされるとともに、文字表示を含む単位画像については当該単位画像内の文字を拡大表示する画像である拡大文字画像が対応づけられており、複数の単位画像が第１方向に順次配列されると共に、単位画像に対応する前記拡大文字画像は、単位画像に対して前記第１方向とは異なる第２方向に隣接配置されている表示コンテンツの表示制御を行う表示制御ステップと、
前記表示コンテンツの表示中において第１種操作と第２種操作を検知する操作検知ステップと、
を実行するとともに、
前記表示制御ステップでは、或る単位画像を表示させているときに前記第１種操作が検知されたことに応じて、前記第１方向に並ぶ次の単位画像が表示されるように表示制御を行い、また或る単位画像を表示させているときに前記第２種操作が検知されたことに応じて表示中の単位画像に対応する前記拡大文字画像の表示制御を行う
情報処理方法。
【請求項１８】
複数の単位画像が所定順序で順次表示対象とされるとともに、文字表示を含む単位画像については当該単位画像内の文字を拡大表示する画像である拡大文字画像が対応づけられており、複数の単位画像が第１方向に順次配列されると共に、単位画像に対応する前記拡大文字画像は、単位画像に対して前記第１方向とは異なる第２方向に隣接配置されている表示コンテンツの表示制御を行う表示制御手順と、
前記表示コンテンツの表示中において第１種操作と第２種操作を検知する操作検知手順と、
を情報処理装置に実行させるとともに、
前記表示制御手順では、或る単位画像を表示させているときに前記第１種操作が検知されたことに応じて、前記第１方向に並ぶ次の単位画像が表示されるように表示制御を行い、また或る単位画像を表示させているときに前記第２種操作が検知されたことに応じて表示中の単位画像に対応する前記拡大文字画像の表示制御とを、
情報処理装置に実行させるプログラム。
【請求項１９】
複数の単位画像が所定順序で順次表示対象とされるとともに、文字表示を含む単位画像については当該単位画像内の文字を拡大表示する画像である拡大文字画像が対応づけられており、複数の単位画像が第１方向に順次配列されると共に、単位画像に対応する前記拡大文字画像は、単位画像に対して前記第１方向とは異なる第２方向に隣接配置されている表示コンテンツの表示制御を行う表示制御手順と、
前記表示コンテンツの表示中において第１種操作と第２種操作を検知する操作検知手順と、
を情報処理装置に実行させるとともに、
前記表示制御手順では、或る単位画像を表示させているときに前記第１種操作が検知されたことに応じて、前記第１方向に並ぶ次の単位画像が表示されるように表示制御を行い、また或る単位画像を表示させているときに前記第２種操作が検知されたことに応じて表示中の単位画像に対応する前記拡大文字画像の表示制御とを、
情報処理装置に実行させるプログラムを記憶した記憶媒体。
【請求項２０】
情報処理装置が実行する情報処理方法として、
表示コンテンツを構成する単位画像内で文字表示用に設けられた吹き出し領域を特定する特定ステップと、
前記特定ステップで特定された吹き出し領域に表記されている文字を拡大して表示する拡大文字画像を生成する画像生成ステップと、
前記画像生成ステップで生成した拡大文字画像を、単位画像に関連づけて表示コンテンツに組み込むコンテンツ編集ステップと、を行うとともに、
前記コンテンツ編集ステップでは、一の単位画像と次の単位画像の間に、前記一の単位画像についての拡大文字画像が挿入される順序で、複数の単位画像と拡大文字画像が第１方向に並ぶ画像配列とするように表示コンテンツを編集する
情報処理方法。
【請求項２１】
表示コンテンツを構成する単位画像内で文字表示用に設けられた吹き出し領域を特定する特定手順と、
前記特定手順で特定された吹き出し領域に表記されている文字を拡大して表示する拡大文字画像を生成する画像生成手順と、
前記画像生成手順で生成した拡大文字画像を、単位画像に関連づけて表示コンテンツに組み込むコンテンツ編集手順と、
を情報処理装置に実行させるとともに、
前記コンテンツ編集手順では、一の単位画像と次の単位画像の間に、前記一の単位画像についての拡大文字画像が挿入される順序で、複数の単位画像と拡大文字画像が第１方向に並ぶ画像配列とするように表示コンテンツを編集する処理と、
を情報処理装置に実行させるプログラム。
【請求項２２】
表示コンテンツを構成する単位画像内で文字表示用に設けられた吹き出し領域を特定する特定手順と、
前記特定手順で特定された吹き出し領域に表記されている文字を拡大して表示する拡大文字画像を生成する画像生成手順と、
前記画像生成手順で生成した拡大文字画像を、単位画像に関連づけて表示コンテンツに組み込むコンテンツ編集手順と、
を情報処理装置に実行させるとともに、
前記コンテンツ編集手順では、一の単位画像と次の単位画像の間に、前記一の単位画像についての拡大文字画像が挿入される順序で、複数の単位画像と拡大文字画像が第１方向に並ぶ画像配列とするように表示コンテンツを編集する処理と、
を情報処理装置に実行させるプログラムを記憶した記憶媒体。
【請求項２３】
情報処理装置が実行する情報処理方法として、
表示コンテンツを構成する単位画像内で文字表示用に設けられた吹き出し領域を特定する特定ステップと、
前記特定ステップで特定された吹き出し領域に表記されている文字を拡大して表示する拡大文字画像を生成する画像生成ステップと、
前記画像生成ステップで生成した拡大文字画像を、単位画像に関連づけて表示コンテンツに組み込むコンテンツ編集ステップと、を行うとともに、
前記コンテンツ編集ステップでは、複数の単位画像が第１方向に順次配列されると共に、単位画像に対応する拡大文字画像は、単位画像に対して前記第１方向とは異なる第２方向に隣接配置されるように、表示コンテンツを編集する
情報処理方法。
【請求項２４】
表示コンテンツを構成する単位画像内で文字表示用に設けられた吹き出し領域を特定する特定手順と、
前記特定手順で特定された吹き出し領域に表記されている文字を拡大して表示する拡大文字画像を生成する画像生成手順と、
前記画像生成手順で生成した拡大文字画像を、単位画像に関連づけて表示コンテンツに組み込むコンテンツ編集手順と、
を情報処理装置に実行させるとともに、
前記コンテンツ編集手順では、複数の単位画像が第１方向に順次配列されると共に、単位画像に対応する拡大文字画像は、単位画像に対して前記第１方向とは異なる第２方向に隣接配置されるように、表示コンテンツを編集する処理と、
を情報処理装置に実行させるプログラム。
【請求項２５】
表示コンテンツを構成する単位画像内で文字表示用に設けられた吹き出し領域を特定する特定手順と、
前記特定手順で特定された吹き出し領域に表記されている文字を拡大して表示する拡大文字画像を生成する画像生成手順と、
前記画像生成手順で生成した拡大文字画像を、単位画像に関連づけて表示コンテンツに組み込むコンテンツ編集手順と、
を情報処理装置に実行させるとともに、
前記コンテンツ編集手順では、複数の単位画像が第１方向に順次配列されると共に、単位画像に対応する拡大文字画像は、単位画像に対して前記第１方向とは異なる第２方向に隣接配置されるように、表示コンテンツを編集する処理と、
を情報処理装置に実行させるプログラムを記憶した記憶媒体。
【発明の詳細な説明】
【技術分野】
【０００１】
本発明は情報処理装置、情報処理方法、プログラム、記憶媒体に関し、特に漫画コンテンツ等の表示コンテンツを表示デバイスで表示させる技術分野に関する。
【先行技術文献】
【特許文献】
【０００２】
【特許文献１】特開２００５−２０４３３８号公報
【背景技術】
【０００３】
例えば表示デバイスを用いて表示させる電子的な表示コンテンツとして、文字表示を含むものがある。例えば漫画コンテンツである。
漫画コンテンツは、漫画としてのコマ内に、吹き出し等を設け、登場人物のセリフ等が記載されており、ユーザは、絵と共にセリフ等を読みながら閲覧を進める。
【発明の概要】
【発明が解決しようとする課題】
【０００４】
ところで漫画コンテンツでは、吹き出しの中の文字が小さいと読みにくいという事情があった。
さらに近年、スマートホンや腕時計型情報機器など、小型のディスプレイを備えた携帯機器が普及しており、小さい画面で漫画を閲覧するという使用態様も増えている。この場合、特に文字が見づらくなり、比較的視力が高いユーザでも、読みにくく感じることが生じている。
一方、上記特許文献１では、吹き出し内の文字を拡大してコマとは別に表示するということが開示されている。吹き出し内の文字を拡大するようにすれば、文字の読みにくさを解消できる。【０００５】
しかしながら拡大文字の画面表示を行う場合には、ユーザの操作性を容易とし、また拡大文字を確認しながらでも読みすすめの円滑さを妨げないようにすることが求められる。
また拡大文字を見なくとも十分に吹き出し内の文字が読めるときは、拡大文字を表示することは逆に漫画を読み進める際の邪魔となる。
そこで本発明は、ユーザにとって必要なときに、感覚的に容易な操作で拡大文字を見ることができるようにすることを目的とする。
【課題を解決するための手段】
【０００６】
第１の本発明に係る情報処理装置は、複数の単位画像が所定順序で順次表示対象とされるとともに、文字表示を含む単位画像については当該単位画像内の文字を拡大表示する画像である拡大文字画像が対応づけられている表示コンテンツの表示制御を行う表示制御部と、前記表示コンテンツの表示中において第１種操作と第２種操作を検知する操作検知部と、を備え、前記表示制御部は、或る単位画像を表示させているときに前記第１種操作が検知されたことに応じて表示中の単位画像の後の順序の単位画像の表示制御を行い、また或る単位画像を表示させているときに前記第２種操作が検知されたことに応じて表示中の単位画像に対応する前記拡大文字画像の表示制御を行い、前記第１種操作と前記第２種操作は、いずれも表示画像が第１方向へ進行するスクロールを指示する操作であり、該スクロールを指示する操作の操作速度により区別される。
例えば漫画コンテンツなどの表示コンテンツでは、単位画像（例えば漫画の１コマ）内に、文字表示のための吹き出しが設けられている。しかし文字数、文字サイズや表示デバイスの画面サイズにより文字の視認性が低下することが多々ある。そこで単位画像内の文字を拡大表示する拡大文字画像を対応づける表示コンテンツを用意する。このような表示コンテンツの表示制御において、ユーザが第１種操作、第２種操作により、次の単位画像か、現単位画像の拡大文字画像かを選択できるようにする。
また、第１種操作と第２種操作は、共に画面表示をスクロールさせる操作であるが、操作速度（例えばスワイプの速度）によって単位画像の進行を指示する第１種操作であるか、拡大文字画像を指示する第２種操作かが区別されるようにする。
【０００７】
上記した情報処理装置においては、前記表示制御部が表示対象とする表示コンテンツは、一の単位画像と次の単位画像の間に、前記一の単位画像についての拡大文字画像が挿入される順序で、複数の単位画像と拡大文字画像が第１方向に並ぶ画像配列が設定されているとする。前記表示制御部は、単位画像を表示させているときに前記第１種操作が検知されたことに応じて、表示画像が前記第１方向へ進行する状態を経て、拡大文字画像を表示させずに次の単位画像が表示されるように表示制御を行い、また単位画像を表示させているときに前記第２種操作が検知されたことに応じて、表示画像が前記第１方向へ進行する状態を経て、表示中の単位画像についての拡大文字画像が表示されるように表示制御を行うようにすることが考えられる。
つまり一の単位画像（コマ）→拡大文字画像→次の単位画像（コマ）という順番で仮想的に一方向に並ぶような表示コンテンツとされる。この場合に、或る単位画像から、次の単位画像に進むか、或いは拡大文字画像に進むかが、第１種操作と第２種操作で区別される。このとき画面の移動はいずれも一方向（同じ方向）とする。【０００８】
上記した情報処理装置においては、前記第１種操作と前記第２種操作は、いずれも表示画像の前記第１方向への遷移を指示する操作であることが考えられる。
画面上で画像の遷移を指示する操作として、第１種操作と第２種操作は、例えば共に画面の下方など同じ方向（単位画像配列方向である第１方向）への画像の遷移を指示する操作とする。第１種操作と第２種操作は方向以外の要素で区別されるようにする。【００１１】
上記した情報処理装置においては、前記操作検知部は、前記第１方向へ表示画像が進行するスクロールを指示する操作の操作速度により前記第１種操作及び前記第２種操作と区別される第３種操作を検知し、前記表示制御部は、第３種操作に応じて、複数の単位画像を連続してスクロール進行させる表示制御を行うことが考えられる。
例えば操作速度として、最も遅い第２種操作、通常のスクロール操作速度の第１種操作、速いスクロール操作の第３種操作を区別する。第３種操作の場合は、複数の単位画像が高速でスクロールされていくようにする。【００１２】
上記した情報処理装置においては、前記表示制御部は、拡大文字画像を表示させている時点では、前記第１種操作又は前記第２種操作のいずれが検知された場合でも、単位画像の表示に遷移させる制御を行うことが考えられる。
つまり拡大文字画像の表示中は、第１種操作と第２種操作を区別せずに、これらの操作に応じて例えば次の単位画像（又は拡大文字画像が対応する元の単位画像）の表示に遷移させる。【００１３】
上記した情報処理装置においては、前記表示制御部は、或る単位画像を表示させているときに、前記操作検知部によって、前記第１方向とは逆方向への表示画像の遷移を指示する操作が検知された場合、表示中の単位画像の前の順序の単位画像の表示制御を行い、或る拡大文字画像を表示させているときに、前記操作検知部によって、前記第１方向とは逆方向への表示画像の遷移を指示する操作が検知された場合、表示中の拡大文字画像が対応する元の単位画像の表示制御を行うことが考えられる。
第１種操作及び第２種操作の方向とは逆方向の操作に応じて、順番的に前の画像を表示する。この場合に、単位画像を表示していた場合は、順番的に前の単位画像に切り替え、拡大文字画像を表示していた場合は、元の単位画像に切り替える。【００１４】
上記した情報処理装置においては、前記表示制御部が表示対象とする表示コンテンツは、拡大文字画像の画像サイズが、拡大文字画像が対応する単位画像内の文字数に応じたサイズに設定されていることが考えられる。
従って文字が少ない単位画像についての拡大文字画像は画像配列方向のサイズが短く、文字が多い単位画像についての拡大文字画像は画像配列方向のサイズが長くなる。【００１５】
上記した情報処理装置においては、前記表示制御部が表示対象とする表示コンテンツは、吹き出し領域内に文字表示が行われる単位画像を有するとともに、複数の吹き出し領域を有する単位画像に対応する拡大文字画像は、各吹き出し領域の文字が区別されて拡大文字が表示される画像とされていることが考えられる。
即ち複数の吹き出しにそれぞれ対応して拡大文字が表示される。【００１６】
上記した情報処理装置においては、前記表示制御部が表示対象とする表示コンテンツは、複数の単位画像が第１方向に順次配列されると共に、単位画像に対応する拡大文字画像は、単位画像に対して前記第１方向とは異なる第２方向に隣接配置されている。前記表示制御部は、単位画像を表示させているときに前記第１種操作が検知されたことに応じて、前記第１方向に並ぶ次の単位画像が表示されるように表示制御を行い、また単位画像を表示させているときに前記第２種操作が検知されたことに応じて、表示中の単位画像についての拡大文字画像が表示されるように表示制御を行うことが考えられる。
つまり表示コンテンツは一の単位画像（コマ）→次の単位画像（コマ）という順番で仮想的に単位画像が第１方向に並ぶようにされている。そして拡大文字画像が単位画像から第２方向に隣接配置されている。
この場合に、或る単位画像から、次の単位画像に進むか、或いは拡大文字画像に進むかが、第１種操作と第２種操作で区別される。【００１７】
上記した情報処理装置においては、前記第１種操作は表示画像の前記第１方向への遷移を指示する操作であり、前記第２種操作は表示画像の前記第２方向への遷移を指示する操作であることが考えられる。
画面上で画像の遷移を指示する操作として、第１種操作と第２種操作は、画像の並び方向に応じてそれぞれ第１方向、第２方向の操作とする。【００１８】
上記した情報処理装置においては、前記表示制御部が表示対象とする表示コンテンツは、吹き出し領域内に文字表示が行われる単位画像を有するとともに、複数の吹き出し領域を有する単位画像に対応して、複数の拡大文字画像が設けられ、単位画像内での吹き出し領域の位置関係に応じて、複数の拡大文字画像の配置位置関係が設定されている。前記表示制御部は、前記第２方向の操作で指示される方向に応じていずれかの拡大文字画像の表示制御を行うことが考えられる。
即ち単位画像内の複数の吹き出しの位置関係にあわせた方向性で、それぞれ対応する拡大文字が表示されるようにする。【００１９】
上記した情報処理装置においては、前記表示制御部は、或る単位画像を表示させているときに、前記操作検知部によって、前記第１方向とは逆方向への表示画像の遷移を指示する操作が検知された場合、表示中の単位画像の前の順序の単位画像の表示制御を行い、或る拡大文字画像を表示させているときに、前記操作検知部によって、前記第２方向とは逆方向への表示画像の遷移を指示する操作が検知された場合、表示中の拡大文字画像が対応する元の単位画像、又は次の単位画像の表示制御を行うことが考えられる。
第１方向を指示する第１種操作や、第２方向の一方を指示する第２種操作とは逆方向を指示する操作に応じて、順番的に前の画像を表示する。この場合に、単位画像を表示していた場合は、順番的に前の単位画像に切り替え、拡大文字画像を表示していた場合は、元の単位画像又は次の単位画像に切り替える。【００２０】
第２の本発明にかかる情報処理装置は、表示コンテンツを構成する単位画像内で文字表示用に設けられた吹き出し領域を特定する特定処理部と、前記特定処理部で特定された吹き出し領域に表記されている文字を拡大して表示する拡大文字画像を生成する画像生成部と、前記画像生成部が生成した拡大文字画像を、単位画像に関連づけて表示コンテンツに組み込むコンテンツ編集処理部とを備える。
即ち漫画コンテンツ等を構成する各単位画像に拡大文字画像を対応づけた表示コンテンツを作成する。【００２１】
上記した情報処理装置においては、前記コンテンツ編集処理部は、一の単位画像と次の単位画像の間に、前記一の単位画像についての拡大文字画像が挿入される順序で、複数の単位画像と拡大文字画像が第１方向に並ぶ画像配列とするように表示コンテンツを編集することが考えられる。
つまり一の単位画像（コマ）→拡大文字画像→次の単位画像（コマ）という順番で仮想的に一方向に並ぶような表示コンテンツを作成する。【００２２】
上記した情報処理装置においては、前記コンテンツ編集処理部は、複数の単位画像が第１方向に順次配列されると共に、単位画像に対応する拡大文字画像は、単位画像に対して前記第１方向とは異なる第２方向に隣接配置されるように、表示コンテンツを編集することが考えられる。
つまり一の単位画像（コマ）→次の単位画像（コマ）という順番で仮想的に単位画像が第１方向に並び、拡大文字画像が単位画像から第２方向に隣接配置された表示コンテンツを作成する。【００２３】
第１の本発明にかかる情報処理方法は、情報処理装置が実行する情報処理方法として、
複数の単位画像が所定順序で順次表示対象とされるとともに、文字表示を含む単位画像については当該単位画像内の文字を拡大表示する画像である拡大文字画像が対応づけられている表示コンテンツの表示制御を行う表示制御ステップと、
前記表示コンテンツの表示中において第１種操作と第２種操作を検知する操作検知ステップと、を実行するとともに、前記表示制御ステップでは、或る単位画像を表示させているときに前記第１種操作が検知されたことに応じて表示中の単位画像の後の順序の単位画像の表示制御を行い、また或る単位画像を表示させているときに前記第２種操作が検知されたことに応じて表示中の単位画像に対応する前記拡大文字画像の表示制御を行い、前記操作検知ステップでは、いずれも表示画像が第１方向へ進行するスクロールを指示する操作である前記第１種操作と前記第２種操作を、該スクロールを指示する操作の操作速度により区別する。
この情報処理方法により、情報処理装置による表示コンテンツの表示制御において、第１種操作、第２種操作に応じて、次の単位画像か、現単位画像の拡大文字画像が選択できるようにする。
第１の本発明に係るプログラムは、第１の本発明に係る情報処理方法の各ステップに相当する手順を情報処理装置に実行させるプログラムである。これにより第１の本発明に係る情報処理装置の処理を実現する。
第１の本発明に係る記憶媒体は、第１の本発明に係るプログラムを記憶した記憶媒体である。
【００２４】
第２の本発明にかかる情報処理方法は、情報処理装置が実行する情報処理方法として、表示コンテンツを構成する単位画像内で文字表示用に設けられた吹き出し領域を特定する特定ステップと、前記特定ステップで特定された吹き出し領域に表記されている文字を拡大して表示する拡大文字画像を生成する画像生成ステップと、前記画像生成ステップで生成した拡大文字画像を、単位画像に関連づけて表示コンテンツに組み込むコンテンツ編集ステップと、を行うとともに、前記コンテンツ編集ステップでは、一の単位画像と次の単位画像の間に、前記一の単位画像についての拡大文字画像が挿入される順序で、複数の単位画像と拡大文字画像が第１方向に並ぶ画像配列とするように表示コンテンツを編集する。
この情報処理方法により、情報処理装置によって、複数の単位画像が所定順序で順次表示対象とされるとともに、文字表示を含む単位画像については当該単位画像内の文字を拡大表示する画像である拡大文字画像が対応づけられている表示コンテンツを作成できる。
第２の本発明に係る他のプログラムは、第２の本発明の情報処理方法の各ステップに相当する手順を情報処理装置に実行させるプログラムである。これにより第２の本発明に係る情報処理装置の処理を実現する。
第２の本発明に係る記憶媒体は、第２の本発明に係るプログラムを記憶した記憶媒体である。
【発明の効果】
【００２５】
本発明によれば、ユーザは容易かつ直感的な操作により、拡大文字画像の閲覧を行うことができるとともに、円滑に漫画等を読み進めていくことができ、非常に使用性のよい閲覧環境を提供できる。
【図面の簡単な説明】
【００２６】
【図１】本発明の実施の形態のシステム構成の説明図である。
【図２】実施の形態の情報処理装置のブロック図である。
【図３】実施の形態の情報処理装置の機能構成の説明図である。
【図４】第１の実施の形態の漫画コンテンツの構造例の説明図である。
【図５】第１の実施の形態の漫画コンテンツの他の構造例の説明図である。
【図６】第２の実施の形態の漫画コンテンツの構造例の説明図である。
【図７】第２の実施の形態の漫画コンテンツの他の構造例の説明図である。
【図８】実施の形態のコンテンツ準備処理のフローチャートである。
【図９】実施の形態の拡大文字コマ生成処理のフローチャートである。
【図１０】第１の実施の形態の表示動作例の説明図である。
【図１１】第１の実施の形態の表示動作例の説明図である。
【図１２】第１の実施の形態の表示動作例の説明図である。
【図１３】第１の実施の形態の表示制御処理例Iのフローチャートである。
【図１４】第１の実施の形態の表示制御処理例IIのフローチャートである。
【図１５】第２の実施の形態の表示動作例の説明図である。
【図１６】第２の実施の形態の表示動作例の説明図である。
【図１７】第２の実施の形態の表示動作例の説明図である。
【図１８】第２の実施の形態の表示動作例の説明図である。
【図１９】第２の実施の形態の表示制御処理例IIIのフローチャートである。
【図２０】第２の実施の形態の表示制御処理例IVのフローチャートである。
【図２１】第２の実施の形態の表示制御処理例Vのフローチャートである。
【図２２】第２の実施の形態の表示制御処理例VIのフローチャートである。
【図２３】第１，第２の実施の形態の表示制御処理VIIのフローチャートである。
【図２４】実施の形態の情報処理装置の他の機能構成の説明図である。
【発明を実施するための形態】
【００２７】
以下、実施の形態を次の順序で説明する。
＜１．システム構成＞
＜２．漫画コンテンツの構造及び生成処理＞
＜３．実施の形態のコンテンツ編集処理＞
＜４．第１の実施の形態＞
［４−１  表示動作例］
［４−２  表示制御処理例I］
［４−３  表示制御処理例II］
＜５．第２の実施の形態＞
［５−１  表示動作例］
［５−２  表示制御処理例III］
［５−３  表示制御処理例IV］
［５−４  表示制御処理例V］
［５−５  表示制御処理例VI］
＜６．第１，第２の実施の形態の表示制御処理例VII＞
＜７．まとめ及び変形例＞
＜８．プログラム及び記憶媒体＞
【００２８】
以下の実施の形態の説明では、表示コンテンツの例として漫画コンテンツを挙げる。
漫画コンテンツは、複数のコマを順に読み進めていくコンテンツである。この場合において、請求項にいう「単位画像」は漫画の１コマに相当する。そして本実施の形態では、原則として表示デバイスの画面に１コマずつ表示が行われる例で説明していく。但し画面上に１コマずつ表示されることは必須ではない。
また請求項にいう「拡大文字画像」の例として、後述する「拡大文字コマ」を挙げる。
なお、特に漫画を構成する元々のコマを、拡大文字コマとの区別のため、「主コマ」と表記する。
【００２９】
＜１．システム構成＞
図１に実施の形態のネットワークシステムの構成例を示す。このネットワークシステムは、ネットワーク１を介してコンテンツサーバ２とユーザ端末５が通信可能とされている。
このようなシステムの具体例は各種考えられるが、本実施の形態の場合、例えば漫画コンテンツ等の表示用の電子コンテンツの配信を行うコンテンツサービスシステムとされる。コンテンツサーバ２は、ユーザ端末５に対して漫画コンテンツを提供する。例えばダウンロードさせる。ユーザはユーザ端末５によりダウンロードした漫画コンテンツを閲覧することができる。
【００３０】
ネットワーク１の構成は多様な例が想定される。例えば、インターネット、イントラネット、エキストラネット、ＬＡＮ（Local Area Network）、ＣＡＴＶ（Community Antenna TeleVision）通信網、仮想専用網（Virtual Private Network）、電話回線網、移動体通信網、衛星通信網等が想定される。
またネットワーク１の全部又は一部を構成する伝送媒体についても多様な例が想定される。例えばＩＥＥＥ（Institute of Electrical and Electronics Engineers）１３９４、ＵＳＢ（Universal Serial Bus）、電力線搬送、電話線等の有線でも、ＩｒＤＡ（Infrared Data Association）のような赤外線、ブルートゥース（登録商標）、８０２．１１無線、携帯電話網、衛星回線、地上波デジタル網等の無線でも利用可能である。
【００３１】
ユーザ端末５は、ユーザが利用する端末機器であり、パーソナルコンピュータ、携帯電話機、スマートホン、ウエアラブル端末、タブレット端末などである。図１ではスマートホン型の携帯端末の例と、腕時計型の携帯端末の例を示している。これらのユーザ端末５は、比較的小型のディスプレイパネルによる表示部１０を有したものである。
ユーザは、これらのユーザ端末５を用いて、サーバ２が提供する漫画コンテンツをダウンロードし、表示部１０により漫画コンテンツを閲覧できる。
その際、ユーザは、表示部１０の表示面上のタッチ操作や、腕時計型の場合の竜頭１１の操作により、各種の操作を行うことができる。
【００３２】
コンテンツサーバ２は、ユーザ端末５からの要求に応じて漫画コンテンツの提供を行う。提供する漫画コンテンツは、コンテンツデータベース３に格納されている。なお以下、「データベース」は「ＤＢ」と表記する。
コンテンツサーバ２はユーザ端末５からの要求に応じて、指定された漫画タイトルの漫画コンテンツをコンテンツＤＢ３から取得し、ネットワーク１を介してユーザ端末５に送信する。
【００３３】
本実施の形態の場合、コンテンツサーバ２は、漫画を構成する通常のコマ（主コマ）とは別に、拡大文字コマを備えた漫画コンテンツをユーザ端末５に提供する。拡大文字コマとは、漫画のコマの吹き出し領域等に表記された文字を拡大提示するコマ画像である。
この拡大文字コマは、元々の漫画コンテンツ制作者が作成してもよいが、コンテンツサーバ２が元々の漫画コンテンツのコマ（主コマ）を分析して自動生成することもできる。
【００３４】
図２は、コンテンツサーバ２やユーザ端末５を構成する情報処理装置のハードウエア構成を示している。コンテンツサーバ２、ユーザ端末５として示した各装置は、情報処理および情報通信が可能な図２に示すようなコンピュータ装置として実現できる。
【００３５】
図２において、コンピュータ装置のＣＰＵ（Central Processing Unit）１０１は、ＲＯＭ( Read Only Memory)１０２に記憶されているプログラム、または記憶部１０８からＲＡＭ( Random Access Memory )１０３にロードされたプログラムに従って各種の処理を実行する。ＲＡＭ１０３にはまた、ＣＰＵ１０１が各種の処理を実行する上において必要なデータなども適宜記憶される。
ＣＰＵ１０１、ＲＯＭ１０２、およびＲＡＭ１０３は、バス１０４を介して相互に接続されている。このバス１０４には、入出力インターフェース１０５も接続されている。
入出力インターフェース１０５には、入力部１０６、出力部１０７、記憶部１０８、通信部１０９が接続されている。
入力部１０６はキーボード、マウス、タッチパネルなどにより構成される。
出力部１０７はＬＣＤ（Liquid Crystal Display）、ＣＲＴ（Cathode Ray Tube）、有機ＥＬ（Electroluminescence）パネルなどよりなるディスプレイ、並びにスピーカなどにより構成される。
記憶部１０８はＨＤＤ（Hard Disk Drive）やフラッシュメモリ装置などにより構成される。
通信部１０９はネットワーク１を介しての通信処理や機器間通信を行う。
入出力インターフェース１０５にはまた、必要に応じてメディアドライブ１１０が接続され、磁気ディスク、光ディスク、光磁気ディスク、或いは半導体メモリなどのリムーバブルメディア１１１が適宜装着され、リムーバブルメディア１１１に対する情報の書込や読出が行われる。
【００３６】
このようなコンピュータ装置では、通信部１０９による通信によりデータやプログラムのアップロード、ダウンロードが行われる。またリムーバブルメディア１１１を介したデータやプログラムの受け渡しが可能である。
ＣＰＵ１０１が各種のプログラムに基づいて処理動作を行うことで、コンテンツサーバ２やユーザ端末５としての必要な情報処理や通信が実行される。
なお、コンテンツサーバ２やユーザ端末５を構成する情報処理装置は、図２のようなコンピュータ装置が単一で構成されることに限らず、複数のコンピュータ装置がシステム化されて構成されてもよい。複数のコンピュータ装置は、ＬＡＮ等によりシステム化されていてもよいし、インターネット等を利用したＶＰＮ等により遠隔地に配置されたものでもよい。複数の情報処理装置には、クラウドコンピューティングサービスによって利用可能なサーバ群（クラウド）としての情報処理装置が含まれてもよい。
【００３７】
図３Ａ、図３Ｂに１又は複数の情報処理装置で構成されるコンテンツサーバ２及びユーザ端末５としての機能構成例を示す。
なお、コンテンツサーバ２又はユーザ端末５としての各機能は、情報処理装置においてＣＰＵ１０１でプログラムに応じて実行される処理により実現される機能である。但し以下説明する全部又は一部の各構成の処理をハードウエアにより実現してもよい。
また各機能をソフトウエアで実現する場合に、各機能がそれぞれ独立したプログラムで実現される必要はない。１つのプログラムにより複数の機能の処理が実行されてもよいし、１つの機能が複数のプログラムモジュールの連携で実現されてもよい。
また図３Ａの各機能や、図３Ｂの各機能は複数の情報処理装置に分散されていてもよい。さらに機能の１つが、複数の情報処理装置によって実現されてもよい。
【００３８】
まず図３Ａでは、コンテンツサーバ２として、拡大文字コマを有する漫画コンテンツを作成する機能を有する例を示している。
コンテンツサーバ２は、コンテンツ管理部２ａ、特定処理部２ｂ、画像生成部２ｃ、コンテンツ編集処理部２ｄを有する。
【００３９】
コンテンツ管理部２ａは、コンテンツサーバ２としての基本的な機能として示している。
例えばコンテンツ管理部２ａは、コンテンツＤＢ３への漫画コンテンツの格納処理を行う。即ち制作された漫画コンテンツを取得した際に、その漫画コンテンツを、ユーザ端末５にダウンロードする配信対象の漫画コンテンツとしてコンテンツＤＢ３に格納する。
またコンテンツ管理部２ａは、ユーザ端末５からの要求に応じてのコンテンツＤＢ３からの漫画コンテンツの取得やユーザ端末５への送信処理を行う。
【００４０】
特定処理部２ｂ、画像生成部２ｃ、コンテンツ編集処理部２ｄは、拡大文字コマを備えた漫画コンテンツ生成のための機能である。
通常の漫画コンテンツは、漫画を構成する単位画像である主コマのみで形成されている。本実施の形態では、主コマだけでなく拡大文字コマが追加された漫画コンテンツをユーザ端末５に提供する。このためにコンテンツサーバ２には、拡大文字コマ付きの漫画コンテンツを生成する機能が設けられている。
【００４１】
特定処理部２ｂは、漫画コンテンツを構成する単位画像（主コマ）内で文字表示用に設けられた吹き出し領域を特定する処理を行う。
画像生成部２ｃは、特定処理部２ｂで特定された吹き出し領域に表記されている文字を拡大して表示する拡大文字コマを生成する処理を行う。例えば、吹き出し領域の文字表示部分を画像データとして抽出し、そのまま拡大した画像で拡大文字コマを生成する。或いは、吹き出し領域内の文字をＯＣＲ（Optical character recognition）処理により認識し、テキストデータ化する。そしてテキストデータに基づいて拡大文字コマを生成する。
コンテンツ編集処理部２ｄは、画像生成部２ｃが生成した拡大文字コマを、主コマに関連づけて漫画コンテンツに組み込むコンテンツ編集を行う。即ち、読み順に並ぶ主コマに対して、拡大文字コマを組み込む。組み込みによる主コマと拡大文字コマの配置の具体例は後述する。
【００４２】
図３Ｂでは、ユーザ端末５において設けられる、漫画コンテンツの閲覧のための機能構成の例として、コンテンツ取得管理部５ａ、表示制御部５ｂ、操作検知部５ｃを示している。例えばコンテンツ取得管理部５ａ、表示制御部５ｂ、操作検知部５ｃは、ユーザ端末５において起動されるアプリケーションソフトウエアにより実現される機能として考えることができる。
【００４３】
コンテンツ取得管理部５ａは、コンテンツサーバ２との通信接続、漫画コンテンツのダウンロード要求、漫画コンテンツのダウンロード、ダウンロードした漫画コンテンツの管理、ユーザ操作に応じた閲覧コンテンツの選択等の処理を行う。
【００４４】
表示制御部５ｂは、実際に閲覧する漫画コンテンツの表示部１０での表示制御を行う。閲覧対象の漫画コンテンツは、複数の主コマが所定順序で順次表示対象とされるとともに、文字表示を含む主コマについては、その主コマ内の文字を拡大表示する画像である拡大文字コマが対応づけられている構造となっている。表示制御部５ｂは、このような漫画コンテンツのコマの表示を、操作検知部５ｃが検知するユーザ操作に応じて制御する。
操作検知部５ｃは、各種ユーザ操作の検知を行うが、特に漫画コンテンツの表示中において第１種操作と第２種操作を検知する。第１種操作と第２種操作の具体例は後述するように各種考えられる。
そして表示制御部５ｂは、或る主コマを表示させているときに第１種操作が検知されたことに応じて表示中の主コマの後の順序の主コマが表示されるように表示制御を行う。
また表示制御部５ｂは、或る主コマを表示させているときに第２種操作が検知されたことに応じて表示中の主コマに対応する拡大文字コマが表示されるように表示制御を行う。
【００４５】
なお、以上の図３Ａ、図３Ｂの機能構成は一例である。特に各機能についてコンテンツサーバ２側に備えるようにするか、ユーザ端末５側に備えるようにするかは多様に考えられる。他の具体例については変形例として後述する。
【００４６】
＜２．漫画コンテンツの構造及び生成処理＞
続いて、ユーザ端末５において表示される漫画コンテンツの構造例を説明する。
まず第１の実施の形態において表示対象とされる漫画コンテンツの構造例を図４Ａ、図４Ｂで説明する。第１の実施の形態における漫画コンテンツは、一の主コマと次の主コマの間に、一の主コマについての拡大文字コマが挿入される順序で、複数の主コマと拡大文字コマが第１方向に並ぶ画像配列が設定されているものである。
【００４７】
図４Ａは元の漫画コンテンツの例である。ここでは５つの主コマ＃１〜＃５で構成される漫画としている。主コマ内には、絵とともに、吹き出し領域３０内に文字（セリフ等）が描かれている。
コンテンツサーバ２がユーザ端末５に送信する漫画コンテンツは、図４Ｂのように、拡大文字コマ（＃１ｓ、＃２ｓ、＃４ｓ、＃５ｓ）が追加されている。
拡大文字コマ＃１ｓは主コマ＃１に対応したもので、主コマ＃１の吹き出し領域３０内の文字が拡大表示されたコマである。拡大文字コマ＃２ｓは主コマ＃２の吹き出し領域３０内の文字が拡大表示されたコマである。拡大文字コマ＃４ｓ、＃５ｓも、それぞれ対応する元の主コマ＃４，＃５の吹き出し領域３０内の文字が拡大表示されたコマである。
なお、主コマ＃３には吹き出し領域３０がなく、文字が表記されていないため、対応する拡大文字コマは設けられていない。
【００４８】
各コマ（主コマ及び拡大文字コマ）は、全て第１方向に並んで配置される。例えば図４Ｂにおいて上から下に向かう方向を第１方向として示している。なお、第１方向とは主コマの読み順の並び方向であり、現実の方角を示すものではない。仮想的に（或いは電子コンテンツのページ構造等として）主コマが順番に並んだときの進行方向である。
そしてコマの並びは、少なくとも仮想的に設定されればよく、ユーザが表示の際に、コマを進める方向と認識できる並びの設定であればよい。
図４Ｂの例では、主コマに対応する拡大文字コマは、主コマの次に配置される。従って、主コマ＃１→拡大文字コマ＃１ｓ→主コマ＃２→拡大文字コマ＃２ｓ・・・という順番で配列される。なお主コマ＃３には拡大文字コマが存在しないため、主コマ＃３の次は主コマ＃４とされる。
【００４９】
この図４Ｂのような構造の漫画コンテンツが、ユーザ端末５において表示制御される。このため、コンテンツサーバ２は、コンテンツ制作者等から取得した図４Ａのような漫画コンテンツについて、コンテンツ準備処理を行って図４Ｂのような配信用の漫画コンテンツを生成する。
もちろんコンテンツ制作者や提供者（作家、出版社等）が、元から図４Ｂのような拡大文字コマ付きの漫画コンテンツを生成して、コンテンツサーバ２に配信用の漫画コンテンツとして提供してもよい。その場合、コンテンツサーバ２で拡大文字コマを加える漫画コンテンツ準備処理は不要となる。
さらに変形例として後述するが、ユーザ端末５において、図４Ａのような元の漫画コンテンツをダウンロードした場合に、図４Ｂのような拡大文字コマを加えた漫画コンテンツを生成し、それを用いて表示処理を行うことも考えられる。その場合、コンテンツサーバ２は図４Ａのような元々の漫画コンテンツをユーザ端末５に対して配信すればよい。
【００５０】
図５Ａ、図５Ｂは第１の実施の形態の漫画コンテンツの他の構造例を示している。
図５Ａの元の漫画コンテンツ（図４Ａと同様）に対して、拡大文字コマを加えて図５Ｂのように配信用の漫画コンテンツを設定するが、拡大文字コマのコマサイズを対応する主コマの文字数に応じたサイズとしている例である。
ここでいうコマサイズとは、コマの配列方向（コマを読み進める方向）である第１方向のサイズである。図示の例の場合、主コマ＃１は、文字数が少ない。これに応じて、拡大文字コマ＃１ｓは配列方向のサイズが短いコマとされる。
このように文字が少ない主コマについての拡大文字コマはコマ配列方向のサイズが短く、逆に文字が多い主コマについての拡大文字コマは配列方向のサイズが長くなる。
【００５１】
ところで、複数の吹き出し領域３０を有する主コマに対応する拡大文字画像は、各吹き出し領域３０の文字が区別されて拡大文字が表示される画像とされている。
図４Ａ、図５Ａに示す主コマ＃４は、吹き出し領域３０が２つ設けられている。これに対応する拡大文字コマ＃４ｓは、各吹き出し領域３０の文字が、図示のように区別して表記されている。これにより、各吹き出し領域３０の文字が読みづらくならないようにしている。
図示の例では上下に分けているが、もちろん左右に分けてもよい。
また上下や左右に分ける場合、主コマ内の吹き出し領域３０の位置に対応するように拡大文字コマ内を分けて文字を表記することも好適である。
もちろん吹き出し領域３０が３つ以上の場合も、拡大文字コマ内ではそれぞれの文字が分割表記されればよい。
【００５２】
またこのように区別して表記する場合に、例えば図示の例のように右側の吹き出し領域３０の文字を先（例えば拡大文字コマ内の上方）に表記し、左側の吹き出し領域３０の文字を後（例えば拡大文字コマ内の下方）に表記することが望ましい。これは、多くの漫画のコマ内では右側（右上側）の吹き出し領域３０が先に読まれるセリフとされていることに応じたものである。
但し、吹き出し領域３０の読順の前後は、言語の違い、国や地域の違い、元の漫画のコマの並び、ページめくり方向などによって異なる場合があるため、それらに応じて、拡大文字コマでの文字表示の順序が設定されることが適切である。
【００５３】
なお、各吹き出し領域３０内の文字を拡大文字コマ内で区別して表記する態様は、上記例のように拡大文字コマ内の領域を分割して表記することに限らない。例えば吹き出し領域３０毎に文字の色を変えたり、サイズや字体を変えるという態様で区別されるようにしてもよい。
【００５４】
次に第２の実施の形態において表示対象とされる漫画コンテンツの構造例を図６Ａ、図６Ｂで説明する。第２の実施の形態における漫画コンテンツは、複数の主コマが第１方向に順次配列されると共に、主コマに対応する拡大文字コマは、主コマに対して第１方向とは異なる第２方向に隣接配置されるものとしている。
【００５５】
図６Ａは図４Ａと同様の元の漫画コンテンツの例である。コンテンツサーバ２がユーザ端末５に送信する漫画コンテンツは、図６Ｂのように、拡大文字コマ（＃１ｓ、＃２ｓ、＃４ｓ、＃５ｓ）が追加されているが、この場合、拡大文字コマ（＃１ｓ、＃２ｓ、＃４ｓ、＃５ｓ）は、それぞれ対応する主コマ（＃１、＃２、＃４、＃５）の右側に仮想的に配置されているものとする。
図面上、上から下に向かう方向を第１方向としている。第２方向は第１方向と直交する方向としており、左右方向である。説明上、左から右に向かう方向と、右から左に向かう方向の両方を含めて、第２方向と呼ぶ。
拡大文字コマは対応する主コマと左右方向に隣接した状態で配置される。
なお、主コマ＃３には吹き出し領域３０がなく、文字が表記されていないため、対応する拡大文字コマは設けられていないことは、第１の実施の形態の構造と同様である。
【００５６】
主コマ＃１〜＃５は、その順序で（拡大文字コマが介入することなく）、元のコマ配置通りに第１方向（ユーザが表示の際にコマを進める方向）に配列される。
【００５７】
この図６Ｂのような構造の漫画コンテンツが、ユーザ端末５において表示制御される。このため、コンテンツサーバ２は、配信用として取得した図６Ａのような漫画コンテンツについて、コンテンツ準備処理を行って図６Ｂのような配信用の漫画コンテンツを生成する。
もちろん第２の実施の形態の場合も、コンテンツ制作者や提供者（作家、出版社等）が、元から図６Ｂのような拡大文字コマ付きの漫画コンテンツを生成して、コンテンツサーバ２に配信用の漫画コンテンツとして提供してもよい。さらにユーザ端末５において、図６Ａのような元の漫画コンテンツをダウンロードした場合に、図６Ｂのような拡大文字コマを加えた漫画コンテンツを生成し、それを用いて表示処理を行うことも考えられる。
【００５８】
この第２の実施の形態の場合も、拡大文字コマ＃４ｓに示すように、複数の吹き出し領域３０についての文字に関しては、区別して表記することが適切である。
【００５９】
図７Ａ、図７Ｂは第２の実施の形態の漫画コンテンツの他の構造例を示している。
図７Ａの元の漫画コンテンツ（図６Ａと同様）に対して、拡大文字コマを加えて図７Ｂのように配信用の漫画コンテンツを設定するが、主コマに複数の吹き出し領域３０が存在する場合に、拡大文字コマを複数設けた例である。
主コマ＃４について、吹き出し領域３０毎に拡大文字コマ＃４ｓ１、＃４ｓ２を生成し、主コマ＃４の左右に配置する。
この場合、右側の吹き出し領域３０に対応する拡大文字コマ＃４ｓ１を主コマ＃４の右側に配置し、左側の吹き出し領域３０に対応する拡大文字コマ＃４ｓ２を主コマ＃４の左側に配置している。
このように、複数の吹き出し領域３０を有する主コマに対応して、複数の拡大文字コマを設け、主コマ内での吹き出し領域３０の位置関係に応じて、複数の拡大文字コマの配置位置関係を設定することで、後述の表示の際にユーザが理解しやすいものとする。
【００６０】
＜３．実施の形態のコンテンツ編集処理＞
第１，第２の実施の形態で用いる漫画コンテンツの準備処理について説明する。コンテンツサーバ２は、例えば上記のように拡大文字コマが追加された漫画コンテンツを生成し、ユーザ端末５への配信用の漫画コンテンツとする。即ち図４Ａ、図５Ａ、図６Ａ、図７Ａに示した漫画コンテンツから、図４Ｂ、図５Ｂ、図６Ｂ、図７Ｂで例示したような漫画コンテンツを生成する処理である。
ここでは、例えばコンテンツサーバ２が図３Ａに示した機能（特定処理部２ｂ、画像生成部２ｃ、コンテンツ編集処理部２ｄ）によって実行する処理として、図８のコンテンツ準備処理を説明する。
【００６１】
コンテンツサーバ２は、コンテンツ提供者等から提供を受けた元の漫画コンテンツ（拡大文字コマが付加されていない漫画コンテンツ）をコンテンツＤＢ３に格納している。
コンテンツサーバ２は、このような元の漫画コンテンツに対して、逐次図８の処理を行って拡大文字コマ付きの漫画コンテンツを準備する。
【００６２】
図８のステップＳ１０１でコンテンツサーバ２は、処理対象とする漫画コンテンツを特定する。即ちコンテンツＤＢ３に格納してある漫画コンテンツで、まだ拡大文字コマが付加されていない漫画コンテンツを準備処理の対象として選択する。
ステップＳ１０２でコンテンツサーバ２は、処理対象として特定した漫画コンテンツの実際のデータ（例えばＰＤＦ形式データなど）をコンテンツＤＢ３から取得する。そして以降、取得したコンテンツデータにおける各主コマについて、拡大文字コマを生成していく処理を行う。
【００６３】
コンテンツサーバ２はステップＳ１０３で変数ｎに１を代入する。また変数ｎＭＡＸにコマ数（主コマの数）を代入する。
そしてコンテンツサーバ２はステップＳ１０４〜Ｓ１０９の処理を、ステップＳ１１０で変数ｎをインクリメントしながらくり返し実行する。
【００６４】
ステップＳ１０４でコンテンツサーバ２は、第ｎコマの吹き出し領域３０の検出を行う。この検出は、まずｎ番目の主コマに吹き出し領域が存在するか否かを確認する。そして存在する場合は、主コア内での吹き出し領域の範囲を特定する。
例えば主コマ内で特定の色（例えば白）を背景に文字が並んでいる領域を検出する処理となる。
【００６５】
処理対象の第ｎコマに１以上の吹き出し領域３０が存在する場合、コンテンツサーバ２はステップＳ１０５からＳ１０６に処理を進め、処理対象の１つの吹き出し領域３０を選択する。そしてステップＳ１０７で、当該処理対象の吹き出し領域３０の文字を拡大表示する拡大文字コマの生成を行う。拡大文字コマ生成処理については後述する。
コンテンツサーバ２はステップＳ１０８では、まだ未処理の他の吹き出し領域３０が存在するか否かを確認する。吹き出し領域３０が１つの場合は、以上で今回の第ｎコマについての処理を終え、ステップＳ１０９に進む。
【００６６】
他の吹き出し領域３０が存在すれば、コンテンツサーバ２はステップＳ１０６に戻って、未処理の吹き出し領域３０を処理対象に選択し、ステップＳ１０７で拡大文字コマ生成処理を行う。
なお、この場合の拡大文字コマ生成処理は、先に処理対象とした吹き出し領域３０についてステップＳ１０７で生成した拡大文字コマに、さらに今回処理対象としている吹き出し領域３０の文字を追加する処理（つまり拡大文字コマの更新処理）となる。或いは、図７Ｂの拡大文字コマ＃４ｓ１，＃４ｓ２のように、吹き出し領域３０毎に拡大文字コマを生成する場合は、このステップＳ１０７で新たに拡大文字コマを生成することとする。
第ｎコマ内の全ての吹き出し領域３０について拡大文字コマ生成処理を行ったら、ステップＳ１０９に進む。
【００６７】
第ｎコマ内の吹き出し領域３０が存在しない場合は、拡大文字コマ生成処理を行なわずにステップＳ１０５からＳ１０９に進む。
【００６８】
ステップＳ１０９でコンテンツサーバ２は、変数ｎが変数ｎＭＡＸに達しているか否かを確認する。つまり最後の主コマまで処理が完了したか否かの確認である。
ｎ≧ｎＭＡＸでなければ、コンテンツサーバ２はステップＳ１１０において変数ｎをインクリメントしてステップＳ１０４に戻り、次の主コマについて処理を行う。
【００６９】
ｎ≧ｎＭＡＸであり、全主コマについて拡大文字コマ生成処理を終えたら、コンテンツサーバ２はステップＳ１１１に進み、主コマと拡大文字コマの配置設定を行う
第１の実施の形態に対応する漫画コンテンツの場合は、図４Ｂや図５Ｂのように主コマ＃１→拡大文字コマ＃１ｓ→主コマ＃２→拡大文字コマ＃２ｓ・・・という順序を設定する。
第２の実施の形態に対応する漫画コンテンツの場合は、図６Ｂや図７Ｂのように主コマに対して対応する拡大文字コマが第２方向に隣接するような位置関係を設定する。
そしてステップＳ１１２でコンテンツサーバ２は、以上の処理により作成された拡大文字コマ付きの漫画コンテンツを、ユーザ端末５への提供用の漫画コンテンツとしてコンテンツＤＢ３に記憶する。
このような図８の処理を各漫画コンテンツについて実行することで、ユーザ端末５へ送信する配信用の漫画コンテンツが準備されることになる。
【００７０】
上記ステップＳ１０７の拡大文字コマ生成処理の例を図９Ａ、図９Ｂ、図９Ｃで説明する。
図９Ａは、元の主コマの吹き出し領域３０の画像（文字の画像）をそのまま利用する例である。コンテンツサーバ２はステップＳ１５０で、処理対象としている主コマ（第ｎコマ）の吹き出し領域３０内の画像の切り出しを行う。そしてステップＳ１５１で、切り出した画像の拡大処理を行う。
ステップＳ１５２Ａでコンテンツサーバ２は、拡大処理した画像を、拡大文字コマ枠に貼り付ける。即ち拡大文字コマ枠として１コマ分の領域を用意し、その領域に、吹き出し領域３０からの切り出し画像の拡大画像、つまりセリフとしての文字が拡大された画像を貼り付ける。これにより、１つの拡大文字コマとしての画像が生成される。
ステップＳ１５３でコンテンツサーバ２は、当該拡大文字コマについて属性設定を行う。例えば拡大文字コマとしてのコマＩＤ（Identification）や、対応する主コマの情報等を付加する。以上により、拡大文字コマが生成される。
【００７１】
図９Ｂは、元の主コマの吹き出し領域３０の画像について文字認識を行う例である。コンテンツサーバ２はステップＳ１６０で、処理対象としている主コマ（第ｎコマ）の吹き出し領域３０内に対してＯＣＲ処理を行い、文字認識を行ってテキストデータを取得する。つまりセリフ等の表記からテキストデータを得る。そしてステップＳ１６１で、取得したテキストデータを用いて拡大文字を生成する。例えばテキストデータに基づいて所定のフォントや文字サイズを設定して拡大文字としての画像を生成する。
ステップＳ１５２Ａでコンテンツサーバ２は、拡大文字画像を、拡大文字コマ枠に貼り付ける。即ち拡大文字コマ枠として１コマ分の領域を用意し、その領域に、テキストデータの拡大表示画像を貼り付ける。これにより、１つの拡大文字コマとしての画像が生成される。ステップＳ１５３でコンテンツサーバ２は、当該拡大文字コマについて属性設定として、コマＩＤや、対応する主コマの情報等を付加する。以上により、拡大文字コマが生成される。
【００７２】
図９Ｃは、図９Ｂの処理にステップＳ１６２を加えたものである。
ステップＳ１６２では、ステップＳ１６０で認識したテキストデータの文字数や、ステップＳ１６１で設定した拡大文字画像サイズに応じて、拡大文字コマ枠のサイズを設定する。つまり拡大文字コマが、サイズ可変とされる図５Ｂの例に対応したものである。
ステップＳ１５２Ａで設定したサイズの拡大文字コマ枠に、拡大文字画像を貼り付け、ステップＳ１５３で属性設定を行うことで、１つの拡大文字コマとしての画像が生成される。
【００７３】
以上の図９Ａ、図９Ｂ、図９Ｃで例示した処理が、図８のステップＳ１０７で行われて、拡大文字コマ付きの漫画コンテンツが生成される。以上は一例であり、拡大文字コマ生成処理は図９Ａ、図９Ｂ、図９Ｃで例示したものに限られない。
【００７４】
＜４．第１の実施の形態＞
［４−１  表示動作例］
第１の実施の形態としてのユーザ端末５における漫画コンテンツの表示制御について説明する。
第１の実施の形態の場合、漫画コンテンツの構成は図４Ｂや図５Ｂのように、主コマと拡大文字コマが仮想的に一方向に並ぶようにされている。この場合に、或る単位画像から、次の単位画像に進むか、或いは拡大文字画像に進むかが、第１種操作と第２種操作で区別される。第１種操作と第２種操作に応じて行われる画面の移動はいずれも同じ方向であるとする。例えば具体的には、コマの進み方向（読み順の方向）に表示内容がスクロールされていくものとする。
【００７５】
第１種操作と第２種操作は、いずれも表示画像の第１方向（図４参照）へのコマの進行を指示する操作である。
一例として、第１種操作は、ユーザが画面上で、コマの読み順方向への表示内容のスクロールを指示するスクロール操作であるとする。
第２種操作も同じく、ユーザが画面上で、コマの読み順方向への表示内容のスクロールを指示するスクロール操作であるとする。
例えばユーザがユーザ端末５の表示部１０の画面上に指先を触れた状態で、指を画面上方にスライドさせると、画面表示は下から上に流れるようにスクロールされる。これは、下方のコマ（後ろのコマ）が画面に現れてくるスクロールとなる。つまりコマの読み順方向（第１方向）へのスクロールである。
或いは、指先のスライド操作だけでなく、スワイプ操作でもよい。また、画面の下部をタップすることや、表示されているアイコンを指定することがスクロール操作となるようにしてもよい。
また腕時計型の場合の竜頭１１等を回すことがスクロール操作とされてもよい。スクロール操作を具体的にどのような操作態様とするかは多様に考えられる。
【００７６】
第１種操作と第２種操作は、スクロールを指示する操作の操作速度により区別されるようにする。例えば通常程度のスクロール操作の場合、コマ送り（漫画の進行）を意味する第１種操作とする。一方、ゆっくりしたスクロール操作の場合は、拡大文字コマの表示を求める第２種操作とする。
【００７７】
なお、後述する処理例では、第３種操作も、スクロールを指示する操作の操作速度により区別される操作とする。例えば通常より速いスクロール操作を第３種操作とする。第３種操作は、複数のコマを連続してスクロール進行させるための操作とする。
【００７８】
なお、以降、第１の実施の形態における各図（図１０、図１１、図１２、図１３、図１４）において次の符号を用いる。
・第１種操作ＯＰ１：第１方向（コマの読み順方向）への表示画像の遷移（次の主コマへの遷移）を指示する操作とする。
・第２種操作ＯＰ２：第１方向（コマの読み順方向）への表示画像の遷移（拡大文字コマへの遷移）を指示する操作とする。
・第３種操作ＯＰ３：第１方向（コマの読み順方向）への表示画像の連続的な遷移を指示する操作とする。
・操作ｉＯＰ１：第１種操作ＯＰ１と同様の操作速度で第１方向とは逆方向（コマの戻り方向）への表示画像の遷移を指示する操作とする。
・操作ｉＯＰ２：第２種操作ＯＰ２と同様の操作速度で第１方向とは逆方向（コマの戻り方向）への表示画像の遷移を指示する操作とする。
・操作ｉＯＰ３：第３種操作ＯＰ３と同様の操作速度で第１方向とは逆方向（コマの戻り方向）への表示画像の連続的な遷移を指示する操作とする。
【００７９】
図１０、図１１により操作に応じたコマ遷移の例を説明する。
図１０Ａは漫画コンテンツの最初の主コマ＃１がユーザ端末５の表示部１０に表示されている状態を示している。
このときにユーザによって第１種操作ＯＰ１が行われると、表示内容がスクロールされ、図１０Ｂのように主コマ＃１から徐々に主コマ＃２に進行していくような状態を経て図１０Ｃのように２番目の主コマ＃２が表示された状態に遷移する。
【００８０】
図１０Ｄは漫画コンテンツの最初の主コマ＃１がユーザ端末５の表示部１０に表示されている状態を示している。
このときにユーザによって第２種操作ＯＰ２が行われると、表示内容はスクロールされ、図１０Ｅのように主コマ＃１から徐々に拡大文字コマ＃１ｓに進行していくような状態を経て、図１０Ｆのように主コマ＃１に対応する拡大文字コマ＃１ｓが表示された状態に遷移する。
【００８１】
さらに図１０Ｆの拡大文字コマ＃１ｓの表示中には、ユーザが第２種操作ＯＰ２を行うと、図１０Ｇのように拡大文字コマ＃１ｓから徐々に主コマ＃２に進行していくような状態を経て、図１０Ｈのように主コマ＃２が表示された状態に遷移する。
なお、拡大文字コマの表示中の図１０Ｆの状態からは、ユーザが第１種操作ＯＰ１を行った場合も、図１０Ｇの状態を経て図１０Ｈのように主コマ＃２が表示された状態に遷移する。つまり拡大文字コマからは、第１種操作ＯＰ１と第２種操作ＯＰ２のいずれによっても、表示中の拡大文字コマが対応する主コマの次の主コマに遷移する。
【００８２】
次に図１１Ｃは主コマ＃２がユーザ端末５の表示部１０に表示されている状態を示している。ここでさらに第１種操作ＯＰ１を行うと、図１１Ｄのように主コマ＃２から徐々に主コマ＃３に進行していくような状態を経て図１１Ｅのように３番目の主コマ＃３が表示された状態に遷移する。
また図１１Ｃの主コマ＃２が表示されている状態から、ユーザが操作ｉＯＰ１を行うと、表示内容が戻り方向にスクロールされ、図１１Ｂのように主コマ＃２から徐々に主コマ＃１に進行していくような状態を経て図１１Ａのように主コマ＃１が表示された状態に遷移する。
【００８３】
また図１１Ｈも主コマ＃２が表示されている状態であるが、ユーザが第２種操作ＯＰ２を行うと、表示内容はスクロールされ、図１１Ｉのように主コマ＃２から徐々に拡大文字コマ＃２ｓに進行していくような状態を経て、図１１Ｊのように主コマ＃２に対応する拡大文字コマ＃２ｓが表示された状態に遷移する。
また図１１Ｈの主コマ＃２が表示されている状態から、ユーザが操作ｉＯＰ２を行うと、表示内容が戻り方向にスクロールされ、図１１Ｇのように主コマ＃２から徐々に主コマ＃１に進行していくような状態を経て図１１Ａのように主コマ＃１が表示された状態に遷移する。
【００８４】
図１１Ｊのように拡大文字コマ＃２ｓが表示されているときに操作ｉＯＰ２又は操作ｉＯＰ１が行われた場合は、表示内容が戻り方向にスクロールされ、図１１Ｉのように拡大文字コマ＃２ｓから徐々に対応する元の主コマ＃２に進行していくような状態を経て図１１Ｈのように主コマ＃２が表示された状態に遷移する。
【００８５】
以上をまとめると次のようになる。
・主コマ表示中は、第１種操作ＯＰ１によって次の主コマに遷移する。
・主コマ表示中は、第２種操作ＯＰ２によって対応する拡大文字コマに遷移する。
・主コマ表示中は、操作ｉＯＰ１又は操作ｉＯＰ２のいずれによっても前の主コマに遷移する。
・拡大文字コマ表示中は、第１種操作ＯＰ１と第２種操作ＯＰ２のいずれによっても、対応する主コマの次の主コマに遷移する。
・拡大文字コマ表示中は、操作ｉＯＰ１と操作ｉＯＰ２のいずれによっても、対応する主コマに遷移する。
【００８６】
なお、このような例とする場合、操作ｉＯＰ１と操作ｉＯＰ２は、特に区別する必要はないが、例えば操作ｉＯＰ１と操作ｉＯＰ２で異なる遷移をする例も考えられるため、以降も区別して説明する。
【００８７】
図１２は、図５Ｂで説明したように、拡大文字コマのサイズを対応する主コマの文字数に応じたサイズとしている場合の表示例を示している。例えば拡大文字コマ＃１ｓが小サイズのコマとされている。
この場合、図１２Ａのように主コマ＃１から第２種操作ＯＰ２が行われることで、図１２Ｂのようなスクロール過程を経て、図１２Ｃのように拡大文字コマ＃１ｓが表示される状態となる。このときに、コマサイズが小さいことから、次の主コマ＃２も画面に表出した状態となるようにする。
図１２Ｃの状態からは、第１種操作ＯＰ１と第２種操作ＯＰ２のいずれによっても、対応する主コマの次の主コマに遷移するため、図１２Ｄのように主コマ＃２に遷移することになる。
つまり文字数が少ない場合の拡大文字コマを小サイズとすることで、主コマへの遷移を少ないスクロール量で迅速に行うことができる。
【００８８】
なお、図１０，図１１，図１２の例示では、或るコマから他のコマへの遷移を、スクロールにより遷移するものとしたが、スクロール移動を経ずに、或るコマから他のコマに瞬間的に切り替わるような遷移を行うようにしてもよい。
【００８９】
［４−２  表示制御処理例I］
以上のような画面遷移を含む第１の実施の形態の漫画コンテンツの表示制御として表示制御処理例Iを図１３で説明する。なお、以下説明する表示制御処理例I〜VIIは、ユーザ端末５のＣＰＵ１０１が図３Ｂに示したコンテンツ取得管理部５ａ、表示制御部５ｂ、操作検知部５ｃの機能によって実行する処理例とする。
【００９０】
ユーザ端末５は図１３のステップＳ２０１でコンテンツ取得管理部５ａの機能により、表示するコンテンツを取得する。例えばコンテンツサーバ２に特定の漫画コンテンツのダウンロード要求を行い、ダウンロード処理により漫画コンテンツを取得する。
なお、既にユーザ端末５にダウンロード済の漫画コンテンツを閲覧する場合は、ステップＳ２０１で単に表示する漫画コンテンツを特定すればよい。
【００９１】
ステップＳ２０２以降の処理は、ユーザ端末５が表示制御部５ｂ、操作検知部５ｃの機能によって実行する。
まずユーザ端末５はステップＳ２０２で表示する漫画コンテンツの先頭コマ（主コマ＃１）を表示部１０に表示させる。なお、漫画コンテンツの閲覧を再開するときなど、ステップＳ２０２で途中のコマを表示させる場合もある。
【００９２】
最初の主コマを表示させた後は、ユーザ端末５はステップＳ２０３〜Ｓ２０９によりユーザ操作を監視する。ここでは第１種操作ＯＰ１、操作ｉＯＰ１、第２種操作ＯＰ２、操作ｉＯＰ２、第３種操作ＯＰ３、操作ｉＯＰ３、終了操作を監視する。
【００９３】
ユーザによる第１種操作ＯＰ１が検知された場合、ユーザ端末５はステップＳ２０３からＳ２１０に進み、現在表示中のコマ（主コマ又は拡大文字コマ）に対して次の主コマが存在するか否かを確認する。即ち、現在、或る主コマを表示中であれば、次の主コマが存在するか否かを確認する。また現在、或る拡大文字コマを表示中であれば、その拡大文字コマが対応する主コマの次の主コマが存在するか否かを確認する。
【００９４】
現在表示しているのが、漫画コンテンツの最後の主コマ、もしくはそれに対応する拡大文字コマの場合は、次の主コマが存在しない。この場合、ユーザ端末５はステップＳ２１０からＳ２８０に進み、当該第１種操作ＯＰ１を無効とし、コマ遷移制御は行わない。ステップＳ２８０で操作を無効とするのは、ユーザの操作意思に従って遷移すべきコマが存在しない場合となる。
【００９５】
次の主コマが存在する場合、ユーザ端末５はステップＳ２１０からＳ２１１に進み、当該第１種操作ＯＰ１による遷移先を、存在を確認した次の主コマとする。
そしてステップＳ２１２でユーザ端末５は、現在のコマ（主コマ又は拡大文字コマ）から遷移先として設定した主コマに向かうスクロールを開始させる。そして遷移先の主コマの表示が完了した時点でステップＳ２１３からＳ２１４に進み、スクロールを停止させる。
以上の処理により、例えば図１０Ａ→図１０Ｂ→図１０Ｃのようなコマ遷移や、図１０Ｆ→図１０Ｇ→図１０Ｈのようなコマ遷移が実行される。
【００９６】
ユーザによる操作ｉＯＰ１が検知された場合、ユーザ端末５はステップＳ２０４からＳ２２０に進み、現在、主コマのいずれかを表示中であるか否かを判断する。
主コマ表示中であれば、ユーザ端末５はステップＳ２２１で、現在表示中の主コマに対してコマの順番として１つ前となる前の主コマが存在するか否かを確認する。
【００９７】
現在表示しているのが、漫画コンテンツの先頭の主コマの場合は、前の主コマが存在しない。この場合、ユーザ端末５はステップＳ２２１からＳ２８０に進み、当該操作ｉＯＰ１を無効とし、コマ遷移制御は行わない。
【００９８】
前の主コマが存在する場合、ユーザ端末５はステップＳ２２１からＳ２２２に進み、当該操作ｉＯＰ１による遷移先を、存在を確認した前の主コマとする。
そしてステップＳ２１２でユーザ端末５は、現在の主コマから遷移先として設定した主コマに向かうスクロールを開始させ、遷移先の主コマの表示が完了した時点でステップＳ２１３からＳ２１４に進み、スクロールを停止させる。
これは、例えば図１１Ｃ→図１１Ｂ→図１１Ａのようなコマ遷移が実行される場合の処理となる。
【００９９】
ステップＳ２２０で主コマ表示中ではないとされる場合、つまり拡大文字コマの表示中であるときは、ユーザ端末５はステップＳ２４１に進み、表示中の拡大文字コマに対応する元の主コマを遷移先に設定する。そしてステップＳ２１２，Ｓ２１３，Ｓ２１４で遷移先に設定した主コマに向かってスクロール移動を実行させる。これは例えば図１１Ｊ→図１１Ｉ→図１１Ｈのようなコマ遷移が実行される場合の処理となる。
【０１００】
ユーザによる第２種操作ＯＰ２が検知された場合、ユーザ端末５はステップＳ２０５からＳ２３０に進み、現在、主コマのいずれかを表示中であるか否かを判断する。
主コマ表示中であれば、ユーザ端末５はステップＳ２３１で、現在表示中の主コマに対応する拡大文字コマが存在するか否かを確認する。文字が含まれていない主コマには、拡大文字コマが生成されていないためである。
対応する拡大文字コマが存在すれば、ユーザ端末５はステップＳ２３２に進んで、現在表示中の主コマに対応する拡大文字コマを遷移先とする。そしてステップＳ２１２，Ｓ２１３，Ｓ２１４で遷移先に設定した拡大文字コマに向かってスクロール移動を実行させる。これは例えば図１０Ｄ→図１０Ｅ→図１０Ｆや、図１１Ｈ→図１１Ｉ→図１１Ｊのようなコマ遷移が実行される場合の処理となる。
【０１０１】
ステップＳ２３０で主コマ表示中ではないとされる場合、つまり拡大文字コマの表示中であるときは、ユーザ端末５はステップＳ２１０に進み、表示中の拡大文字コマに対応する元の主コマに対して次の順番となる主コマが存在するか否かを確認する。
そして存在しなければステップＳ２８０で当該第２種操作ＯＰ２を無効とするが、存在する場合は、ステップＳ２１１で次の主コマを遷移先とし、ステップＳ２１２，Ｓ２１３，Ｓ２１４で遷移先に設定した主コマに向かってスクロール移動を実行させる。これは例えば図１０Ｆ→図１０Ｇ→図１０Ｈのようなコマ遷移が実行される場合の処理となる。
【０１０２】
現在表示しているのが主コマであるが、ステップＳ２３１で対応する拡大文字コマが存在しないと判定される場合は、ユーザ端末５はステップＳ２３１からＳ２８０に進み、当該第２種操作ＯＰ２を無効とし、コマ遷移制御は行わない。ユーザは第２種操作ＯＰ２を行っても拡大文字コマに遷移しないことで、現在の主コマは拡大文字コマが存在しないコマであることを理解できる。
なお、ステップＳ２３１で対応する拡大文字コマが存在しないと判定される場合、図中に破線で示すようにステップＳ２１０に進み、現在の主コマの次の主コマへ遷移するようにしてもよい。つまり、拡大文字コマが存在しない場合は第２種操作ＯＰ２も第１種操作ＯＰ１と見なすような処理例である。例えば図４Ｂの主コマ＃３の表示中には、第１種操作ＯＰ１、第２種操作ＯＰ２のいずれでも主コマ＃４に遷移することとなり、ユーザに対しては、無効操作となる機会が減ることで円滑な操作感を与えることができる。
【０１０３】
ユーザによる操作ｉＯＰ２が検知された場合、ユーザ端末５はステップＳ２０６からＳ２４０に進み、現在、拡大文字コマを表示中であるか否かを判断する。
拡大文字コマを表示中の場合は、ユーザ端末５はステップＳ２４１に進み、表示中の拡大文字コマに対応する元の主コマを遷移先に設定する。そしてステップＳ２１２，Ｓ２１３，Ｓ２１４で遷移先に設定した主コマに向かってスクロール移動を実行させる。これは例えば図１１Ｊ→図１１Ｉ→図１１Ｈのようなコマ遷移が実行される場合の処理となる。
【０１０４】
ステップＳ２４０で拡大文字コマの表示中ではない、つまり主コマの表示中と判断した場合は、ユーザ端末５はステップＳ２２１に進み、現在表示中の主コマに対してコマの順番が１つ前となる前の主コマが存在するか否かを確認する。
現在表示しているのが、漫画コンテンツの先頭の主コマの場合は、前の主コマが存在しないため、ユーザ端末５はステップＳ２２１からＳ２８０に進み、当該操作ｉＯＰ２を無効とし、コマ遷移制御は行わない。
前の主コマが存在する場合、ユーザ端末５はステップＳ２２１からＳ２２２に進み、当該操作ｉＯＰ１による遷移先を、存在を確認した前の主コマとする。そしてステップＳ２１２，Ｓ２１３，Ｓ２１４で遷移先に設定した主コマに向かってスクロール移動を実行させる。これは例えば図１１Ｈ→図１１Ｇ→図１１Ｆのようなコマ遷移が実行される場合の処理となる。
【０１０５】
なおステップＳ２４０で主コマ表示中と判断される場合に、前の主コマに対応する拡大文字コマに遷移するような処理例も考えられる。例えば図１０Ｈの主コマ＃２の表示中に操作ｉＯＰ２によって図１０Ｆの拡大文字コマ＃１ｓに遷移するような例である。これは、主コマ表示中において操作ｉＯＰ１と操作ｉＯＰ２が区別される例となる。
【０１０６】
ユーザによる第３種操作ＯＰ３が検知された場合、ユーザ端末５はステップＳ２０７からＳ２５０に進み、現在、最終コマを表示中であるか否かを判断する。ここでいう最終コマとは、最後の主コマ、或いはその主コマに対応する拡大文字コマのことである。
上述したように、第３種操作ＯＰ３は、第１方向（コマの読み順方向）への表示画像の連続進行を指示する操作である。例えば最終コマに至る第１方向への継続スクロールを指示する操作である。
従って、第３種操作ＯＰ３が行われた時点が、最終コマの表示中である場合は、それ以上のスクロールは実行できないので、ユーザ端末５はステップＳ２５０からＳ２８０に進んで無効操作とする。
【０１０７】
最終コマ表示中でなければユーザ端末５はステップＳ２５１に進み、現在のコマからコマの読み順方向に連続スクロールを開始させる。
なお、この連続スクロールにおいては、図４Ｂの構造の漫画コンテンツをそのままスクロールさせることで、主コマ＃１→拡大文字コマ＃１ｓ→主コマ＃２→拡大文字コマ＃２ｓ→主コマ＃３→主コマ＃４→拡大文字コマ＃４ｓ・・・というようにコマが流れて進行していくようにすればよい。或いは、拡大文字コマを介在させずに、主コマ＃１→＃２→＃３→＃４・・・のように主コマのみがスクロール進行していくようにしてもよい。主コマのみでスクロールを行うことで、ユーザがコマの進行具合を認識しやすい。
【０１０８】
連続スクロール中は、ユーザ端末５はステップＳ２５２で、表示画像が最終主コマに到達したか、もしくはユーザによるストップ操作が行われたかを監視する。例えば連続スクロール中のタップ操作等を、スクロールを停止させるストップ操作とする。
最終コマ到達もしくはストップ操作が検知されることに応じてユーザ端末５はステップＳ２５３に進み、主コマ表示状態でスクロールを停止させる。主コマ表示状態とは、図１０Ｃや図１１Ｅなどのように或る主コマの全体が表示された状態である。
従って、第３種操作ＯＰ３で連続スクロールが開始された後は、ユーザがストップ操作を行わなければ最終主コマが表示された状態でスクロールが停止される。ユーザがストップ操作を行った場合は、ストップ操作のタイミングから近い主コマが表示された状態でスクロールが停止される。
【０１０９】
ユーザによる操作ｉＯＰ３が検知された場合、ユーザ端末５はステップＳ２０８からＳ２６０に進み、現在、先頭主コマを表示中であるか否かを判断する。
操作ｉＯＰ３は、第１方向とは逆のコマの戻り方向への表示画像の連続進行を指示する操作である。例えば先頭コマに至る戻り方向への継続スクロールを指示する操作である。
従って、操作ｉＯＰ３が行われた時点が、先頭主コマの表示中である場合は、それ以上のスクロールは実行できないので、ユーザ端末５はステップＳ２６０からＳ２８０に進んで無効操作とする。
【０１１０】
先頭主コマ表示中でなければユーザ端末５はステップＳ２６１に進み、現在のコマからコマの戻り方向に連続スクロールを開始させる。
なお、この戻り方向の連続スクロールにおいても、図４Ｂの構造の漫画コンテンツをそのままスクロールさせることで、拡大文字コマ＃５ｓ→主コマ＃５→拡大文字コマ＃４ｓ→主コマ＃４→主コマ＃３→拡大文字コマ＃２ｓ→主コマ＃２・・・というようにコマが遷移していくようにすればよい。或いは、拡大文字コマを介在させずに、主コマ＃５→＃４→＃３→＃２・・・のように主コマのみがスクロールで戻っていくようにしてもよい。主コマのみでスクロールを行うことで、ユーザがコマの戻り具合を認識しやすい。
【０１１１】
戻り方向の連続スクロール中は、ユーザ端末５はステップＳ２６２で、表示画像が先頭主コマに到達したか、もしくはユーザによるストップ操作が行われたかを監視する。
先頭主コマ到達もしくはストップ操作が検知されることに応じてユーザ端末５はステップＳ２６３に進み、主コマ表示状態でスクロールを停止させる。
従って、操作ｉＯＰ３で戻り方向の連続スクロールが開始された後は、ユーザがストップ操作を行わなければ先頭主コマが表示された状態でスクロールが停止される。ユーザがストップ操作を行った場合は、ストップ操作のタイミングから近い主コマが表示された状態でスクロールが停止される。
【０１１２】
ユーザによる漫画コンテンツ閲覧の終了操作が検知された場合、ユーザ端末５はステップＳ２０９からＳ２７０に進み、表示終了処理を行う。そして一連の処理を終了する。
【０１１３】
［４−３  表示制御処理例II］
続いて図１４で表示制御処理例IIを説明する。なお図１４において図１３と同一の処理については同一のステップ番号を付し説明を省略する。
この図１４では、コマの遷移をスクロールではなく、瞬間的な表示切り替えにより実行する例を示している。
そのためユーザ端末５は、ステップＳ２１１，Ｓ２２２，Ｓ２３２，Ｓ２４１のいずれかで遷移先のコマを設定したら、ステップＳ２１５に進み、現在表示中のコマから遷移先のコマへの表示切り替え制御を行う。
例えば図１０Ａの表示状態から第１種操作ＯＰ１に応じて、図１０Ｃの表示状態に切り替えるようにする。図１０Ｂのような遷移過程を表示させない。
【０１１４】
またこの図１４の例では、第３種操作ＯＰ３が検知された場合、連続スクロールではなく、連続的な画面切り替えが行われるようにしている。
最終コマ以外の表示中に第３種操作ＯＰ３が検知された場合は、ユーザ端末５はステップＳ２５１Ａで現在のコマからコマの読み順方向に順次連続的にコマを切り替えていく制御を開始させる。例えば０．５秒毎などの短い間隔でコマを切り替えていく。この場合、主コマのみを対象として順番に主コマを切り替えていくとよい。主コマのみを対象とすることで、ユーザがコマの進行具合を認識しやすいためである。
但し拡大文字コマを介在させた状態で順番にコマを切り替えていくようにしてもよい。
【０１１５】
連続コマ切り替え中は、ユーザ端末５はステップＳ２５２で、表示画像が最終主コマに到達したか、もしくはユーザによるストップ操作が行われたかを監視する。
最終コマ到達もしくはストップ操作が検知されることに応じてユーザ端末５はステップＳ２５３Ａに進み、主コマ表示状態で連続コマ切り替えを停止させる。
従って、第３種操作ＯＰ３で連続コマ切り替えが開始された後は、ユーザがストップ操作を行わなければ最終主コマが表示された状態で連続コマ切り替えが停止される。ユーザがストップ操作を行った場合は、ストップ操作のタイミングで表示中の主コマ（或いはストップ操作タイミングによっては次の主コマ）が表示された状態で連続コマ切り替えが停止される。
【０１１６】
先頭主コマ以外の表示中に操作ｉＯＰ３が検知された場合は、ユーザ端末５はステップＳ２６１Ａで現在のコマからコマの戻り方向に順次連続的にコマを切り替えていく制御を開始させる。この場合、主コマのみを対象として戻り方向の順番に主コマを切り替えていくとよい。主コマのみを対象とすることで、ユーザがコマの戻り具合を認識しやすいためである。
但し拡大文字コマを介在させた状態で戻り方向の順番にコマを切り替えていくようにしてもよい。
【０１１７】
連続コマ切り替え中は、ユーザ端末５はステップＳ２６２で、表示画像が先頭主コマに到達したか、もしくはユーザによるストップ操作が行われたかを監視する。
先頭主コマ到達もしくはストップ操作が検知されることに応じてユーザ端末５はステップＳ２６３Ａに進み、主コマ表示状態で連続コマ切り替えを停止させる。
従って、操作ｉＯＰ３で戻り方向の連続コマ切り替えが開始された後は、ユーザがストップ操作を行わなければ先頭主コマが表示された状態で連続コマ切り替えが停止される。ユーザがストップ操作を行った場合は、ストップ操作のタイミングで表示中の主コマ（或いはストップ操作タイミングによっては戻り方向に次となる主コマ）が表示された状態で連続コマ切り替えが停止される。
【０１１８】
＜５．第２の実施の形態＞
［５−１  表示動作例］
第２の実施の形態としてのユーザ端末５における漫画コンテンツの表示制御について説明する。
第２の実施の形態の場合、漫画コンテンツの構成は図６Ｂや図７Ｂのように、主コマが第１方向に並び、拡大文字コマが主コマに対して第２方向に隣接配置されている。この場合に、或る主コマから、次の主コマに進むか、或いは拡大文字コマに進むかが、第１種操作ＯＰ１と第２種操作ＯＰ２で区別される。
第１種操作ＯＰ１に応じて行われる画像の遷移としては、第１方向に並ぶ次の主コマが表示されるようにする。
第２種操作ＯＰ２に応じて行われる画像の遷移としては、主コマから拡大文字コマの表示に遷移するようにする。
【０１１９】
この第２の実施の形態においては、各操作は次のような操作内容を意味する。従って図１５〜図２２に表記する第２の実施の形態における各操作の定義は、第１の実施の形態とは異なるものがある。
【０１２０】
・第１種操作ＯＰ１：第１方向（コマの読み順方向）への表示画像の遷移（次の主コマへの遷移）を指示する操作とする。
・第２種操作ＯＰ２：第２方向（コマの読み順方向とは直交する方向である図の左右方向）における一方向への表示画像の遷移（拡大文字コマへの遷移）を指示する操作とする。説明上、右方向への表示画像の遷移を指示する操作とする。
・第３種操作ＯＰ３：第１方向（コマの読み順方向）への表示画像の連続的な遷移を指示する操作とする。第１種操作ＯＰ１とは操作速度で区別される。
・操作ｉＯＰ１：第１種操作ＯＰ１と同様の操作速度で第１方向とは逆方向（コマの戻り方向）への表示画像の遷移を指示する操作とする。
・操作ｉＯＰ２：第２方向であるが、第２種操作ＯＰ２の指示方向（例えば右方向）とは逆方向（例えば左方向）への表示画像の遷移を指示する操作とする。
・操作ｉＯＰ３：第３種操作と同様の操作速度で第１方向とは逆方向（コマの戻り方向）への表示画像の連続遷移を指示する操作とする。
【０１２１】
つまり第１種操作ＯＰ１と第３種操作ＯＰ３は、共に第１方向への画像遷移を指示する操作であり、スライド、スワイプ、フリック、タップ、竜頭１１の操作等が想定されるが、例えば操作速度により区別される。
操作ｉＯＰ１と操作ｉＯＰ３は、共に第１方向とは逆方向への画像遷移を指示する操作であるが、例えば操作速度により区別される。
第２種操作ＯＰ２とｉＯＰ２は、スライド、スワイプ、フリック、タップ等が想定されるが、第２方向（左右方向）への画像遷移を指示する操作であり、指示する方向が互いに逆方向となる（右方向と左方向）。
【０１２２】
図１５、図１６、図１７、図１８により操作に応じたコマ遷移の例を説明する。なお、これらの各図では、遷移の際のスクロール過程を示していないが、スクロールを経て遷移される場合や、スクロールせずに画面が切り替わる場合のいずれも考えられる。
【０１２３】
図１５Ａは漫画コンテンツの最初の主コマ＃１がユーザ端末５の表示部１０に表示されている状態を示している。
このときにユーザによって第１種操作ＯＰ１が行われると、図１５Ｂのように２番目の主コマ＃２が表示された状態に遷移する。更に、第１種操作ＯＰ１が行われる毎に、図１５Ｃの主コマ＃３、図１５Ｄの主コマ＃４、図１５Ｅの主コマ＃５のように表示内容が遷移していく。
また、ユーザが操作ｉＯＰ１を行うと、表示内容が戻り方向に遷移する。例えば図１５Ｅの主コマ＃５の表示中に操作ｉＯＰ１が行われると、図１５Ｄのように主コマ＃４が表示された状態に遷移する。更に、操作ｉＯＰ１が行われる毎に、図１５Ｃの主コマ＃３、図１５Ｂの主コマ＃２、図１５Ａの主コマ＃１のように戻り方向に表示内容が遷移していく。
【０１２４】
主コマ表示中に第２種操作ＯＰ２が行われると、表示は拡大文字コマに遷移する。例えば図１５Ａの主コマ＃１の表示中なら図１５Ｆの拡大文字コマ＃１ｓに遷移する。図１５Ｂ、図１５Ｄ、図１５Ｅの主コマ（＃２，＃４，＃５）の表示中なら、それぞれ図１５Ｇ、図１５Ｈ、図１５Ｉの拡大文字コマ（＃２ｓ，＃４ｓ，＃５ｓ）に遷移する。
図１５Ｃの主コマ＃３の表示中は、対応する拡大文字コマが存在しないため、第２種操作ＯＰ２は無効とされる。
ユーザは第２種操作ＯＰ２により、感覚的な操作で拡大文字コマを見ることができる。
【０１２５】
拡大文字コマ表示中に操作ｉＯＰ２が行われると、表示は元の主コマに遷移する。例えば図１５Ｆの主コマ＃１の表示中なら図１５Ａの拡大文字コマ＃１ｓに遷移する。図１５Ｇ、図１５Ｈ、図１５Ｉの拡大文字コマ（＃２ｓ，＃４ｓ，＃５ｓ）の表示中なら、それぞれ図１５Ｂ、図１５Ｄ、図１５Ｅの主コマ（＃２，＃４，＃５）に遷移する。
ユーザは、第２種操作ＯＰ２の逆方向操作により感覚的に理解しやすい操作で、元の主コマに戻すことができる。またこの操作で、文字を確認した後、元の主コマの絵を再確認できる。
【０１２６】
図１６は操作ｉＯＰ２に対応した遷移の別の例を示している。図１６Ａ〜図１６Ｅの間の第１種操作ＯＰ１及び操作ｉＯＰ１に応じた遷移は図１５と同様である。また主コマ表示中に第２種操作ＯＰ２が行われると拡大文字コマに遷移することも同様とする。この場合に、拡大文字コマの表示中に操作ｉＯＰ２が行われると、次の主コマ、つまり対応する元の主コマの次の順序の主コマに進むようにする。
例えば図１６Ｆの拡大文字コマ＃１ｓの表示中に操作ｉＯＰ２が行われると図１６Ｂの主コマ＃２に遷移する。図１６Ｇの拡大文字コマ＃２ｓの表示中に操作ｉＯＰ２が行われると図１６Ｃの主コマ＃３に遷移する。図１６Ｈの拡大文字コマ＃４ｓの表示中に操作ｉＯＰ２が行われると図１６Ｅの主コマ＃５に遷移する。
図１６Ｉの拡大文字コマ＃５ｓの表示中には、操作ｉＯＰ２が行われても、次の主コマは存在しないため、図１６Ｅの主コマ＃５に戻るようにする。
このような遷移を行うと、拡大文字コマ＃１ｓから１操作で次の主コマに進むことができ、少ない操作回数によるコマ進行をユーザに提供できる。
【０１２７】
但し、この場合に、操作ｉＯＰ２に応じて、破線矢印ｉＯＰ２’として示す遷移を行う場合を設けてもよい。
例えばユーザが第１種操作ＯＰ１で主コマを進めている過程で、第２種操作ＯＰ２により或る主コマの拡大文字コマに遷移した場合は、操作ｉＯＰに応じて上記のように次の主コマに遷移するものとするが、ユーザが操作ｉＯＰ１で戻り方向に主コマを進めている過程で、第２種操作ＯＰ２により或る主コマの拡大文字コマに遷移した場合は、操作ｉＯＰに応じて、破線矢印ｉＯＰ２’として示すように、元の主コマに遷移するものとする。
主コマを読み進めているときは、操作ｉＯＰ２により次の主コマに遷移することで、円滑な操作感をユーザに与えることができる。一方、主コマを戻している過程で拡大文字コマを見る場合とは、戻って或る主コマの内容を再確認したい場合が想定される。その場合は、拡大文字コマから元の主コマに遷移させた方が、ユーザにとってわかりやすいものとなるため、破線矢印ｉＯＰ２’として示す遷移を行うようにする。
【０１２８】
図１７は第２種操作ＯＰ２、操作ｉＯＰ２に関する画面遷移の他の例を示している。
図１７Ａ、図１７Ｂの間の第１種操作ＯＰ１及び操作ｉＯＰ１に応じた遷移は図１５と同様である。
主コマ＃４に対しては、図７Ｂのように、左右に拡大文字コマ＃４ｓ１、＃４ｓ２が配置されているとする。
図１７Ｂの主コマ＃４の表示中に、右方向への画面遷移を指示する第２種操作ＯＰ２が行われることに応じて、右に配置された拡大文字コマ＃４ｓ１（図１７Ｃ）に遷移する。
図１７Ｂの主コマ＃４の表示中に、左方向への画面遷移を指示する操作ｉＯＰ２が行われることに応じて、左に配置された拡大文字コマ＃４ｓ２（図１７Ｄ）に遷移する。
図１７Ｃの拡大文字コマ＃４ｓ１の表示中に、左方向への画面遷移を指示する操作ｉＯＰ２が行われることに応じて、右方向の元の主コマ＃４（図１７Ｂ）に遷移する。
図１７Ｄの拡大文字コマ＃４ｓ２の表示中に、左方向への画面遷移を指示する第２種操作ＯＰ２が行われることに応じて、左方向の元の主コマ＃４（図１７Ｂ）に遷移する。
このような遷移により、ユーザは感覚的に左右の操作で左右の拡大文字コマ＃４ｓ１、＃４ｓ２を表示させることができる。
【０１２９】
また図１７Ｅ、図１７Ｆのように、拡大文字コマが左右に配置されていない場合においても、拡大文字コマへの遷移及び主コマへの復帰を、第２種操作ＯＰ２と操作ｉＯＰ２のいずれによっても可能としてもよい。
図１７Ｅの主コマ＃５の表示中に、第２種操作ＯＰ２又は操作ｉＯＰ２のいずれかが行われることに応じて、拡大文字コマ＃５ｓ（図１７Ｆ）に遷移する。
図１７Ｆの拡大文字コマ＃５ｓの表示中に、操作ｉＯＰ２又は第２種操作ＯＰ２のいずれかが行われることに応じて、元の主コマ＃５（図１７Ｅ）に遷移する。
このようにすれば、ユーザは左右を意識せずに、単に横方向を指示する操作として拡大文字コマを閲覧できる。
【０１３０】
図１８は、漫画コンテンツの配置構造としての他の例と、その場合の操作に応じた遷移の例を示したものである。
例えば図１８Ａのように、主コマ＃１が、コマ内の右側に吹き出し領域３０が存在する場合は、右側に拡大文字コマ＃１ｓを配置する（図１８Ｃ）。
また図１８Ｂのように、主コマ＃２が、コマ内の左側に吹き出し領域３０が存在する場合は、左側に拡大文字コマ＃２ｓを配置する（図１８Ｄ）。
このように漫画コンテンツの配置構造が設定されている場合、その配置の方向性に応じて第２種操作ＯＰ２と操作ｉＯＰ２に対応した遷移を行う。
【０１３１】
図１８Ａの主コマ＃１の表示中には、第２種操作ＯＰ２が行われることに応じて、拡大文字コマ＃１ｓ（図１８Ｃ）に遷移する。
図１８Ｂの主コマ＃２の表示中には、操作ｉＯＰ２が行われることに応じて、拡大文字コマ＃２ｓ（図１８Ｄ）に遷移する。
図１８Ｃの拡大文字コマ＃１ｓの表示中には、操作ｉＯＰ２が行われることに応じて、元の主コマ＃１（図１８Ａ）に遷移する。
図１８Ｄの拡大文字コマ＃２ｓの表示中には、第２種操作ＯＰ２が行われることに応じて、元の主コマ＃２（図１８Ｂ）に遷移する。
このように吹き出し領域３０の位置に応じて左右方向の配置及び第２種操作ＯＰ２とその逆方向操作である操作ｉＯＰ２を使い分けるようにすることでも、ユーザにとって拡大文字コマの表示のための操作を感覚的わかりやすい操作とすることができる。
【０１３２】
［５−２  表示制御処理例III］
以上のような画面遷移を含む第２の実施の形態の漫画コンテンツの表示制御として表示制御処理例IIIを図１９で説明する。例えばユーザ端末５のＣＰＵ１０１が図３Ｂに示したコンテンツ取得管理部５ａ、表示制御部５ｂ、操作検知部５ｃの機能によって実行する処理例である。
【０１３３】
ユーザ端末５は図１９のステップＳ３０１でコンテンツ取得管理部５ａの機能により、表示するコンテンツを取得する。或いは既にユーザ端末５にダウンロード済の漫画コンテンツを閲覧対象として特定する。図１３のステップＳ２０１と同様の処理である。
そしてステップＳ３０２以降の処理を、ユーザ端末５が表示制御部５ｂ、操作検知部５ｃの機能によって実行する。
まずユーザ端末５はステップＳ３０２で表示する漫画コンテンツの先頭コマ（主コマ＃１）を表示部１０に表示させる。漫画コンテンツの閲覧を再開するときなど、ステップＳ３０２で途中のコマを表示させる場合もある。
最初の主コマを表示させた後は、ユーザ端末５はステップＳ３０３〜Ｓ３０９によりユーザ操作を監視する。ここでは第１種操作ＯＰ１、操作ｉＯＰ１、第２種操作ＯＰ２、操作ｉＯＰ２、第３種操作ＯＰ３、操作ｉＯＰ３、終了操作を監視する。
【０１３４】
ユーザによる第１種操作ＯＰ１が検知された場合、ユーザ端末５はステップＳ３０３からＳ３１０に進み、現在、主コマのいずれかを表示中であるか否かを判断する。
主コマ表示中であれば、ユーザ端末５はステップＳ３１１で、現在表示中の主コマに対してコマの順番として次の主コマが存在するか否かを確認する。
【０１３５】
ステップＳ３１０で現在表示中のコマが主コマではないと判断した場合や、ステップＳ３１１で現在表示しているのが最後の主コマで次の主コマが存在しないと判断した場合は、ユーザ端末５はステップＳ３８０に進み、当該第１種操作ＯＰ１を無効とし、コマ遷移制御は行わない。ユーザの操作意思に従って遷移すべきコマが存在しないためである。
【０１３６】
主コマ表示中で、かつ次の主コマが存在する場合、ユーザ端末５はステップＳ３１１からＳ３１２に進み、当該第１種操作ＯＰ１による遷移先を、存在を確認した次の主コマとする。
そしてステップＳ３１３でユーザ端末５は、現在の主コマから遷移先として設定した次の主コマに向かうスクロールを開始させる。そして遷移先の主コマの表示が完了した時点でステップＳ３１４からＳ３１５に進み、スクロールを停止させる。
これは例えば図１５Ａ→図１５Ｂのようなコマ遷移が実行される場合の処理となる。
【０１３７】
ユーザによる操作ｉＯＰ１が検知された場合、ユーザ端末５はステップＳ３０４からＳ３２０に進み、現在、主コマのいずれかを表示中であるか否かを判断する。
主コマ表示中であれば、ユーザ端末５はステップＳ３２１で、現在表示中の主コマに対してコマの順番として１つ前となる前の主コマが存在するか否かを確認する。
【０１３８】
主コマ表示中でない場合は、ユーザ端末５はステップＳ３２０からＳ３８０に進み、当該操作ｉＯＰ１を無効とし、コマ遷移制御は行わない。
また主コマ表示中であっても、現在表示しているのが漫画コンテンツの先頭の主コマの場合は、前の主コマが存在しない。この場合、ユーザ端末５はステップＳ３２１からＳ３８０に進み、当該操作ｉＯＰ１を無効とし、コマ遷移制御は行わない。
【０１３９】
主コマ表示中で、かつ前の主コマが存在する場合、ユーザ端末５はステップＳ３２１からＳ３２２に進み、当該操作ｉＯＰ１による遷移先を、存在を確認した前の主コマとする。
そしてユーザ端末５はステップＳ３１３、Ｓ３１４、Ｓ３１５の処理で、現在の主コマから遷移先として設定した主コマに向かうスクロール移動の制御を行う。
これは例えば図１５Ｂ→図１５Ａのようなコマ遷移が実行される場合の処理となる。
【０１４０】
ユーザによる第２種操作ＯＰ２が検知された場合、ユーザ端末５はステップＳ３０５からＳ３３０に進み、現在、主コマのいずれかを表示中であるか否かを判断する。
主コマ表示中であれば、ユーザ端末５はステップＳ３３１で、現在表示中の主コマに対応する拡大文字コマが存在するか否かを確認する。
対応する拡大文字コマが存在すれば、ユーザ端末５はステップＳ３３２に進んで、現在表示中の主コマに対応する拡大文字コマを遷移先とする。そしてステップＳ３１３，Ｓ３１４，Ｓ３１５で遷移先に設定した拡大文字コマに向かってスクロール移動を実行させる。これは例えば図１５Ａ→図１５Ｆのようなコマ遷移が実行される場合の処理となる。
【０１４１】
ステップＳ３３０で主コマ表示中ではないとされる場合や、ステップＳ３３１で対応する拡大文字コマが存在しないと判定される場合は、ユーザ端末５はステップＳ３８０に進み、当該第２種操作ＯＰ２を無効とし、コマ遷移制御は行わない。
拡大文字コマが存在しない場合については、ユーザは第２種操作ＯＰ２を行っても拡大文字コマへの遷移が行われないことで、非存在であることを理解できる。
【０１４２】
ユーザによる操作ｉＯＰ２が検知された場合、ユーザ端末５はステップＳ３０６からＳ３４０に進み、現在、拡大文字コマを表示中であるか否かを判断する。
拡大文字コマを表示中の場合は、ユーザ端末５はステップＳ３４１に進み、表示中の拡大文字コマに対応する元の主コマを遷移先に設定する。そしてステップＳ３１３，Ｓ３１４，Ｓ３１５で遷移先に設定した拡大文字コマに向かってスクロール移動を実行させる。これは例えば図１５Ｆ→図１５Ａのようなコマ遷移が実行される場合の処理となる。
ステップＳ３４０で拡大文字コマの表示中ではない、つまり主コマの表示中と判断した場合は、ユーザ端末５はステップＳ３８０に進み、このときの操作ｉＯＰ２を無効操作とする。
【０１４３】
ユーザによる第３種操作ＯＰ３が検知された場合、ユーザ端末５はステップＳ３０７からＳ３５０に進み、現在、最終主コマ以外の主コマを表示中であるか否かを判断する。例えば最終主コマが主コマ＃５であれば、主コマ＃１〜＃４のいずれかの表示中であることを確認する。
上述したように、第３種操作ＯＰ３は、第１方向（コマの読み順方向）への表示画像の連続的な遷移を指示する操作である。例えば最終コマに至る第１方向への継続スクロールを指示する操作である。
従って、第３種操作ＯＰ３が行われた時点が、最終主コマの表示中である場合は、それ以上のスクロールは実行できないので、ユーザ端末５はステップＳ３５０からＳ３８０に進んで無効操作とする。なお、拡大文字コマの表示中も、仮想的な配置としてその拡大文字コマから第１方向に配置されたコマは存在しないため、同じくユーザ端末５はステップＳ３５０からＳ３８０に進んで無効操作とする。
【０１４４】
最終主コマ以外の主コマ表示中は、ユーザ端末５はステップＳ３５１に進み、現在の主コマからコマの読み順方向に連続スクロールを開始させる。
この連続スクロールにおいて、例えば図１５Ａ→図１５Ｂ→図１５Ｃ→図１５Ｅ・・・（つまり主コマ＃１→＃２→＃３→＃４・・・）のように主コマのみがスクロール進行していく。
【０１４５】
連続スクロール中は、ユーザ端末５はステップＳ３５２で、表示画像が最終主コマに到達したか、もしくはユーザによるストップ操作が行われたかを監視する。例えば連続スクロール中のタップ操作等を、スクロールを停止させるストップ操作とする。
最終コマ到達もしくはストップ操作が検知されることに応じてユーザ端末５はステップＳ３５３に進み、主コマ表示状態でスクロールを停止させる。第１の実施の形態と同様、主コマ表示状態とは、或る主コマの全体が表示された状態である。換言すればスクロール過程で前後のコマの境界が見えている状態ではない状態のことである。
従って、第３種操作ＯＰ３で連続スクロールが開始された後は、ユーザがストップ操作を行わなければ最終主コマが表示された状態でスクロールが停止される。ユーザがストップ操作を行った場合は、ストップ操作のタイミングから近い主コマが表示された状態でスクロールが停止される。
【０１４６】
ユーザによる操作ｉＯＰ３が検知された場合、ユーザ端末５はステップＳ３０８からＳ３６０に進み、現在、先頭主コマ以外の主コマを表示中であるか否かを判断する。例えば最終主コマが主コマ＃５であれば、主コマ＃２〜＃５のいずれかの表示中であることを確認する。
操作ｉＯＰ３は、第１方向とは逆のコマの戻り方向への表示画像の連続進行を指示する操作である。例えば先頭コマに至る戻り方向への継続スクロールを指示する操作である。
従って、操作ｉＯＰ３が行われた時点が、先頭主コマの表示中である場合は、それ以上のスクロールは実行できないので、ユーザ端末５はステップＳ３６０からＳ３８０に進んで無効操作とする。拡大文字コマの表示中も、仮想的な配置としてその拡大文字コマから第１方向とは逆方向に配置されたコマは存在しないため、同じくユーザ端末５はステップＳ３５０からＳ３８０に進んで無効操作とする。
【０１４７】
先頭主コマ以外の主コマ表示中であればユーザ端末５はステップＳ３６１に進み、現在の主コマからコマの戻り方向に連続スクロールを開始させる。
この連続スクロールにおいて、例えば図１５Ｆ→図１５Ｄ→図１５Ｃ→図１５Ｂ・・・（つまり主コマ＃５→＃４→＃３→＃２・・・）のように主コマのみがスクロール進行していく。
【０１４８】
戻り方向の連続スクロール中は、ユーザ端末５はステップＳ３６２で、表示画像が先頭主コマに到達したか、もしくはユーザによるストップ操作が行われたかを監視する。
先頭主コマ到達もしくはストップ操作が検知されることに応じてユーザ端末５はステップＳ３６３に進み、主コマ表示状態でスクロールを停止させる。
従って、操作ｉＯＰ３で戻り方向の連続スクロールが開始された後は、ユーザがストップ操作を行わなければ先頭主コマが表示された状態でスクロールが停止される。ユーザがストップ操作を行った場合は、ストップ操作のタイミングから近い主コマが表示された状態でスクロールが停止される。
【０１４９】
ユーザによる漫画コンテンツ閲覧の終了操作が検知された場合、ユーザ端末５はステップＳ３０９からＳ３７０に進み、表示終了処理を行う。そして一連の処理を終了する。
【０１５０】
以上の図１９の表示制御処理例IIIの変形例として、第２種操作ＯＰ２及び操作ｉＯＰ２に関して、図１７Ｅ，図１７Ｆで説明した制御を行う例がある。
ステップＳ３３０で主コマ表示中でないと判断される場合、つまり拡大文字コマ表示中の場合は、図中に破線で示すようにステップＳ３４１に進み、現在の拡大文字コマに対応する元の主コマを遷移先とし、ステップＳ３１３，Ｓ３１４，Ｓ３１５で遷移先に設定した主コマに向かってスクロール移動を実行させるようにしてもよい。
またステップＳ３４０で拡大文字コマの表示中でないと判断される場合、つまり主コマ表示中の場合に、図中に破線で示すようにステップＳ３３１に進み、現在の主コマに対応する元の主コマ拡大文字コマの存在を確認し、存在すればステップＳ３３２で当該拡大文字コマを遷移先とし、ステップＳ３１３，Ｓ３１４，Ｓ３１５で遷移先に設定した拡大文字コマに向かってスクロール移動を実行させるようにしてもよい。
これらにより、第２種操作ＯＰ２による図１７Ｆ→図１７Ｅのコマ遷移、操作ｉＯＰ２による図１７Ｅ→図１７Ｆのコマ遷移が付け加えられた状態となる。つまり、ともに第２方向の右方向、左方向の指示となる第２種操作ＯＰ２、操作ｉＯＰ２のいずれによっても主コマと拡大文字コマの切替ができるものとなる。
【０１５１】
［５−３  表示制御処理例IV］
続いて図２０で表示制御処理例IVを説明する。なお以降の図２０、図２１，図２２において既説明の処理と同一の処理については同一のステップ番号を付し説明を省略する。
図２０の処理例は、コマの遷移をスクロールではなく、瞬間的な表示切り替えにより実行する例である。
そのためユーザ端末５は、ステップＳ３１２，Ｓ３２２，Ｓ３３２，Ｓ３４１のいずれかで遷移先のコマを設定したら、ステップＳ３１６に進み、現在表示中のコマから遷移先のコマへの表示切り替え制御を行う。
例えば図１５Ａの表示状態から第１種操作ＯＰ１に応じて、図１５Ｂの表示状態にスクロール無しで切り替えるようにする。
【０１５２】
またこの図２０の例では、第３種操作ＯＰ３が検知された場合、連続スクロールではなく、連続的な画面切り替えが行われるようにしている。
最終コマ以外の主コマの表示中に第３種操作ＯＰ３が検知された場合は、ユーザ端末５はステップＳ３５１Ａで現在の主コマからコマの読み順方向に順次連続的にコマを切り替えていく制御を開始させる。例えば０．５秒毎などの短い間隔で主コマ＃１→＃２→＃３→＃４・・・というようにコマを切り替えていく。
【０１５３】
連続コマ切り替え中は、ユーザ端末５はステップＳ３５２で、表示画像が最終主コマに到達したか、もしくはユーザによるストップ操作が行われたかを監視する。
最終コマ到達もしくはストップ操作が検知されることに応じてユーザ端末５はステップＳ３５３Ａに進み、主コマ表示状態で連続コマ切り替えを停止させる。
従って、第３種操作ＯＰ３で連続コマ切り替えが開始された後は、ユーザがストップ操作を行わなければ最終主コマが表示された状態で連続コマ切り替えが停止される。ユーザがストップ操作を行った場合は、ストップ操作のタイミングで表示中の主コマ（或いはストップ操作タイミングによっては次の主コマ）が表示された状態で連続コマ切り替えが停止される。
【０１５４】
先頭主コマ以外の主コマ表示中に操作ｉＯＰ３が検知された場合は、ユーザ端末５はステップＳ３６１Ａで現在のコマからコマの戻り方向に順次連続的にコマを切り替えていく制御を開始させる。例えば主コマ＃５→＃４→＃３→＃２・・・というコマ遷移を開始させる。
【０１５５】
連続コマ切り替え中は、ユーザ端末５はステップＳ３６２で、表示画像が先頭主コマに到達したか、もしくはユーザによるストップ操作が行われたかを監視する。
先頭主コマ到達もしくはストップ操作が検知されることに応じてユーザ端末５はステップＳ３６３Ａに進み、主コマ表示状態で連続コマ切り替えを停止させる。
従って、操作ｉＯＰ３で戻り方向の連続コマ切り替えが開始された後は、ユーザがストップ操作を行わなければ先頭主コマが表示された状態で連続コマ切り替えが停止される。ユーザがストップ操作を行った場合は、ストップ操作のタイミングで表示中の主コマ（或いはストップ操作タイミングによっては戻り方向に次となる主コマ）が表示された状態で連続コマ切り替えが停止される。
【０１５６】
なおこの図２０では、第２種操作ＯＰ２、操作ｉＯＰ２に関しては、ステップＳ３３０，Ｓ３４０からの処理の進行について、図１９で変形例として説明した図１７Ｅ、図１７Ｆの例（破線で示した例）を記載している。
もちろんステップＳ３３０，Ｓ３４０からの処理の進行については、図１９で実線で示した例を図２０において採用することもできる。
【０１５７】
［５−４  表示制御処理例V］
図２１で表示制御処理例Vを説明する。これは特に図１６で説明した、操作ｉＯＰ２に関する例である。
ユーザ端末５は、ユーザによる操作ｉＯＰ２が検知された場合、ステップＳ３０６からＳ３４０に進み、現在、拡大文字コマを表示中であるか否かを判断する。そして拡大文字コマを表示中の場合は、ユーザ端末５はステップＳ３４５で、現在が戻り方向の遷移中であるか否かを確認する。
戻り方向の遷移中とは、ユーザが操作ｉＯＰ１で主コマを戻した後に、第２種操作ＯＰ２によって拡大文字コマを参照した場合である。
逆に戻り方向の遷移中ではない場合とは、ユーザが第１種操作ＯＰ１で主コマを進めた後に、第２種操作ＯＰ２によって拡大文字コマを参照した場合である。
【０１５８】
戻り方向の遷移中であればユーザ端末５はステップＳ３４１に進み、表示中の拡大文字コマに対応する元の主コマを遷移先に設定する。そしてステップＳ３１３，Ｓ３１４，Ｓ３１５で遷移先に設定した主コマに向かってスクロール移動を実行させる。これは例えば図１６Ｆ→図１６Ａの破線矢印ｉＯＰ２’で説明した遷移を実行させる処理となる。
一方、戻り方向の遷移中でなければ、ユーザ端末５はステップＳ３４６で次の主コマがあるか否かを確認する。つまり現在の拡大文字コマが対応する元の主コマの次の主コマである。存在する場合はステップＳ３１２に進み、当該次の主コマを遷移先に設定する。そしてステップＳ３１３，Ｓ３１４，Ｓ３１５で遷移先に設定した主コマに向かってスクロール移動を実行させる。これは例えば図１６Ｆ→図１６Ｂの遷移を実行させる処理となる。つまりコマの読み順方向にコマを進めているときに拡大文字コマを参照した場合は、操作ｉＯＰ２によって主コマの進行も行うようにする。
もしステップＳ３４６で次の主コマが存在しないとされた場合は、ステップＳ３４１で対応する元の主コマを遷移先とする。そしてステップＳ３１３，Ｓ３１４，Ｓ３１５で遷移先に設定した主コマに向かってスクロール移動を実行させる。これは例えば図１６Ｉ→図１６Ｆで説明した遷移を実行させる処理となる。
【０１５９】
なお、図１６の破線矢印ｉＯＰ２’の遷移を採用しない場合、つまり直前の主コマの遷移方向にかかわらず、操作ｉＯＰ２で次の主コマに遷移するようにする場合は、図２１においてステップＳ３４５を無くした処理とすればよい。
【０１６０】
［５−５  表示制御処理例VI］
図２２で表示制御処理例VIを説明する。これは図７のように主コマの左右に拡大文字コマが配置される場合に、図１７Ｂ、図１７Ｃ、図１７Ｄで説明した遷移を実現する例である。或いは図１８のように拡大文字コマが配置される場合に図１８で説明した遷移を実現する例でもある。
【０１６１】
ユーザ端末５は、ユーザによる第２種操作ＯＰ２が検知された場合、ステップＳ３０５からＳ３８０に進み、現在、主コマを表示中であるか否かを判断する。そしてユーザ端末５は、主コマ表示中であればステップＳ３８１で右側の拡大文字コマの存在を確認し、存在すればステップＳ３８６で右側の拡大文字コマを遷移先とする。
そしてユーザ端末５はステップＳ３１３、Ｓ３１４、Ｓ３１５の処理で、遷移先として設定した、現在の主コマから右側の拡大文字コマに向かうスクロール移動の制御を行う。
これは例えば図１７Ｂ→図１７Ｃや、図１８Ａ→図１８Ｃのようなコマ遷移が実行される場合の処理となる。
【０１６２】
ステップＳ３８０で主コマ表示中ではないとされる場合、ユーザ端末５は、現在、左側配置の拡大文字コマの表示中であるか否かを確認する。そして左側の拡大文字コマの表示中であれば、ステップＳ３８７に進み、対応する元のコマを遷移先とする。
そしてユーザ端末５はステップＳ３１３、Ｓ３１４、Ｓ３１５の処理で、遷移先として設定した元の主コマに向かうスクロール移動の制御を行う。
これは例えば図１７Ｄ→図１７Ｂや、図１８Ｄ→図１８Ｂのようなコマ遷移が実行される場合の処理となる。
【０１６３】
主コマ表示中で右側の拡大文字コマが存在しない場合（Ｓ３８１→Ｓ３８０）や、拡大文字コマの表示中であるが、それが右側の拡大文字コマである場合は（Ｓ３８２→Ｓ３８０）、ステップＳ３８０で当該第２種操作ＯＰ２を無効操作とする。
【０１６４】
ユーザ端末５は、ユーザによる操作ｉＯＰ２が検知された場合、ステップＳ３０６からＳ３８３に進み、現在、主コマを表示中であるか否かを判断する。そしてユーザ端末５は、主コマ表示中であればステップＳ３８４で左側の拡大文字コマの存在を確認し、存在すればステップＳ３８８で左側の拡大文字コマを遷移先とする。
そしてユーザ端末５はステップＳ３１３、Ｓ３１４、Ｓ３１５の処理で、遷移先として設定した、現在の主コマから左側の拡大文字コマに向かうスクロール移動の制御を行う。
これは例えば図１７Ｂ→図１７Ｄや、図１８Ｂ→図１８Ｄのようなコマ遷移が実行される場合の処理となる。
【０１６５】
ステップＳ３８３で主コマ表示中ではないとされる場合、ユーザ端末５は、現在、右側配置の拡大文字コマの表示中であるか否かを確認する。そして右側の拡大文字コマの表示中であれば、ステップＳ３８７に進み、対応する元のコマを遷移先とする。
そしてユーザ端末５はステップＳ３１３、Ｓ３１４、Ｓ３１５の処理で、遷移先として設定した元の主コマに向かうスクロール移動の制御を行う。
これは例えば図１７Ｃ→図１７Ｂや、図１８Ｃ→図１８Ａのようなコマ遷移が実行される場合の処理となる。
【０１６６】
主コマ表示中で左側の拡大文字コマが存在しない場合（Ｓ３８４→Ｓ３８０）や、拡大文字コマの表示中であるが、それが左側の拡大文字コマである場合は（Ｓ３８５→Ｓ３８０），ステップＳ３８０で当該操作ｉＯＰ２を無効操作とする。
【０１６７】
＜６．第１，第２の実施の形態の表示制御処理例VII＞
図２３で、第１，第２の実施の形態に共通に適用できる処理例として表示制御処理例VIIを示す。
図２３において、ステップＳ２０１（Ｓ３０１）〜Ｓ２０９（Ｓ３０９）は、図１３，図１４，図１９，図２０，図２１，図２２の同一のステップ番号を示しており、それらの該当の場合の処理は、紙面の都合上、図示を省略しているが、上記各図と同様とする。
この図２３は、ユーザに対して、拡大文字コマの存在を提示する制御を行う例である。
【０１６８】
ユーザ端末５（操作検知部５ｃ）はステップＳ４００でタッチ操作を検出する。これは、例えば第１種操作ＯＰ１、第２種操作ＯＰ２、操作ｉＯＰ１、操作ｉＯＰ２等をスワイプ、スライド等の操作とした場合に、それらの操作に至る前の、画面へのタッチを検出するものである。
【０１６９】
ユーザ端末５はタッチ検出に応じてステップＳ４００からＳ４０１に進み、主コマ表示中であるか否かを判定する。そして主コマ表示中であれば、ステップＳ４０２で、対応する拡大文字コマの存在を確認する。そして拡大文字コマが存在すればユーザ端末５はステップＳ４０３で拡大文字コマの存在提示制御を行う。
例えば１〜２秒程度の期間、吹き出し領域３０を揺動させたり、コマ全体を揺動させたり、吹き出し領域或いは画面全体を瞬間的に点滅、或いはわずかに明暗変動させたりする。または一瞬、拡大文字を参照できることのメッセージやマーク、アイコン等を表示させてもよい。
これらの処理により、ユーザに拡大文字コマの存在をアピールし、ユーザに気づきを与える。これにより、拡大文字コマの利用を促進できる。
【０１７０】
なお、ステップＳ４０１で主コマ表示中ではないとされる場合（つまり拡大文字コマの表示中）や、ステップＳ４０２で現在の主コマに対応する拡大文字コマが存在しない場合は、ステップＳ４０３の制御は行わない。
【０１７１】
＜７．まとめ及び変形例＞
以上の実施の形態によれば、次のような効果が得られる。
実施の形態においてユーザ端末５として例示した情報処理装置は、複数の主コマ（単位画像）が所定順序で順次表示対象とされるとともに、文字表示を含む主コマについては当該主コマ内の文字を拡大表示する画像である拡大文字コマ（拡大文字画像）が対応づけられている表示コンテンツの表示制御を行う表示制御部５ｂを備える。また情報処理装置は、漫画コンテンツの表示中において第１種操作ＯＰ１と第２種操作ＯＰ２を検知する操作検知部５ｃを備える。そして表示制御部５ｂは、或る主コマを表示させているときに第１種操作ＯＰ１が検知されたことに応じて表示中の主コマの後の順序の主コアの表示制御を行う。また表示制御部５ｂは、或る主コマを表示させているときに第２種操作ＯＰ２が検知されたことに応じて表示中の主コマに対応する拡大文字コマの表示制御を行う。
【０１７２】
漫画コンテンツでは、主コマ内に、文字表示のための吹き出しが設けられている。しかし文字数、文字サイズや表示部１０の画面サイズにより文字の視認性が低下することが多々ある。吹き出し領域内などに表記される文字がかなり小さくなることが多いためである。
そこで主コマ内の文字を拡大表示する拡大文字コマを対応づけた漫画コンテンツを用意する。実施の形態のユーザ端末５は、このような漫画コンテンツの表示制御において、第１種操作ＯＰ１、第２種操作ＯＰ２に応じて、次の主コマか、現主コマの拡大文字コマが選択できるようにしている。
このように第１種操作ＯＰ１、第２種操作ＯＰ２により、コマの進行か、拡大文字コマの表示かを選べることで、ユーザが文字を読みにくい場合に対応できる。つまり吹き出し領域の文字が小さくて読みづらいと思うユーザは、拡大文字コマを表示させることでストレスなく文字が読める。
また、漫画を構成する主コマとは別に表示される補助的なコマとなる拡大文字コマを用意し、第２種操作ＯＰ２で表示させることで、文字を読みづらいユーザにとってコンテンツ閲覧の際の操作性を大きく向上できる。例えば従来、スマートホン等の小型表示デバイスの画面上でのピンチ操作等により、画像を拡大させることで文字を読むような使用形態があった。しかしこの場合、コンテンツを拡大表示してもよいがコマごとに拡大操作（ピンチ操作等）を行うことは煩わしく、また文字を認識した後改めてコマ全体を見たくなったときは縮小操作を行うことが必要となる。本実施の形態の場合、或る方向への画面遷移を指示する操作のみで拡大文字コマを提示できるため、文字拡大のための操作性は非常に良好である。
さらに拡大文字コマを主コマとは別に用意することで、拡大文字コマ内で元の主コマの絵を考慮せずに文字を表示できるため、十分に見やすい大きさでの文字表示が可能となり、閲覧補助として適切である。
また拡大文字画像を漫画のコマとは別に用意することで、漫画の主コマ自体の構成を一時的に改変することもない。
また特に文字が小さくても問題ないユーザにとっては、第１種操作のみでコマを進めていけるため、拡大文字画像が表示されることはなく、漫画コンテンツの閲覧を円滑に行うことができる。
またこれによって、ユーザ端末５における表示部１０の限られた表示領域において、読みやすい漫画コンテンツの提示を行うことができ、ユーザ端末５のハードウエア資源を有効活用することができる。
【０１７３】
なお図３Ａでは、表示制御部５ｂと操作検知部５ｃはユーザ端末５が有する機能、例えばアプリケーションソフトウエアによって実現される機能として説明した。その場合、以上の効果を奏する情報処理装置はユーザ端末５となる。
一方で表示制御部５ｂと操作検知部５ｃは、コンテンツサーバ２内の機能として実現することもできる。即ち図２４Ａに示すように、コンテンツサーバ２においてコンテンツ管理部２ａ、表示制御部５ｂ、操作検知部５ｃが設けられてもよい。
この場合、例えばユーザ端末５では、コンテンツ取得管理部５ａの機能を有するものとして、漫画コンテンツのダウンロードや管理が実行できるようにする。
そして実際の漫画コンテンツ閲覧時には、ユーザ端末５において実行されたユーザ操作をコンテンツサーバ２側の操作検知部５ｃで検知し、コンテンツサーバ２側の表示制御部５ｂが、ユーザ端末５で表示されるコマの切り替え制御を行うようにしてもよい。
このような形態の場合、本発明の情報処理装置にはコンテンツサーバ２が該当することになる。
さらにコンテンツサーバ２に限らず、いわゆるクラウドコンピューティングサービスとして、表示制御部５ｂと操作検知部５ｃの機能の全部又は一部を実行するコンピュータ装置を設け、ユーザ端末５と連携して上述の実施の形態の処理が行われるようにしてもよい。
【０１７４】
第１の実施の形態においては、表示対象とする漫画コンテンツは、一の主コマと次の主コマの間に、一の主コマについての拡大文字コマが挿入される順序で、複数の主コマと拡大文字コマが第１方向に並ぶ画像配列が設定されている（図４，図５参照）。
そして表示制御部５ｂは、主コマを表示させているときに第１種操作ＯＰ１が検知されたことに応じて、表示画像が第１方向へ進行する状態を経て、拡大文字コマを表示させずに次の主コマが表示されるように表示制御を行う。また主コマを表示させているときに第２種操作ＯＰ２が検知されたことに応じて、表示画像が第１方向へ進行する状態を経て、表示中の主コマについての拡大文字コマが表示されるように表示制御を行う（図１３参照）。
つまり一の主コマ→拡大文字コマ→次の主コマという順番で仮想的に一方向に並ぶような漫画コンテンツに対して、或る主コマから、次の主コマに進むか、或いは拡大文字コマに進むかが、第１種操作ＯＰ１と第２種操作ＯＰ２で区別される。このときの画面の移動はいずれも一方向（同じ方向）としている。
これにより漫画コンテンツの閲覧時にコマの進行が一方向でユーザにとってわかりやすく操作しやすいものとなる。特に一画面１コマの表示の場合に適している。
そして拡大文字コマを見たい場合も同じ方向の進行の指示でよいことになり、閲覧時に操作方向を迷うことはなくなる。
また表示画像が第１方向へ進行する状態を経て表示が遷移する、つまりスクロールすることで（図１３のステップＳ２１２）、ユーザに進行の様子がわかりやすい。
またステップＳ２１３，Ｓ２１４の処理で、主コマが表示された状態でスクロールが停止されるようにすることで、漫画を読みやすくできる。もし遷移過程で止められると、コマ全体が表示されるようにユーザがスクロール位置を微調整する操作を行わなければならないためである。
【０１７５】
なお、図１４のステップＳ２１５のように、主コマを表示させているときに第１種操作ＯＰ１が検知されたことに応じて、表示画像がスクロールせずに瞬間的に切り替えられても良い。つまり表示画像が第１方向へ進行する過程の状態を表示させることなくコマの切り替えが行われても良い。これにより、コマ遷移の迅速化を図ることが可能となる。
従って、コマの遷移をスクロールで行うか、瞬間的な切替で行うかをユーザが好みにより選択できるようにしてもよい。
【０１７６】
第１の実施の形態では、第１種操作ＯＰ１と第２種操作ＯＰ２は、いずれも表示画像の第１方向（図４参照：コマの読み順方向）への遷移を指示する操作としている。
即ち画面上で画像の遷移を指示する操作として、第１種操作ＯＰ１と第２種操作ＯＰ２は、例えば共に画面の下方への進行など同じ方向（コマ配列方向である第１方向）を指示する操作とし、方向以外の要素で第１種操作ＯＰ１と第２種操作ＯＰ２が区別されるようにする。
例えば１画面１コマ表示での漫画コンテンツの閲覧では、主コマ＃１→主コマ＃２→主コマ＃３・・・という遷移が通常の閲覧時の進行順となる。コマ間に拡大文字コマを挟むようにし、拡大文字を見ながら閲覧する場合、主コマ＃１→拡大文字コマ＃１ｓ→主コマ＃２→拡大文字コマ＃２ｓ→主コマ＃３・・・という遷移が想定される。つまりユーザの感覚としてはコマ間に順番に拡大文字コマが存在するようになる。すると、第１種操作ＯＰ１と第２種操作ＯＰ２をこのような画像配列と同じ方向操作で行うようにすることが、ユーザの感覚にマッチした操作となり、快適な操作性を提供できる。
またコンテンツを読み進めるにあたり拡大操作→縮小操作→コマ送り操作・・・を繰り返すといった煩わしさも解消できる。
第１方向への遷移を指示する操作とは、画面上で方向を示すタッピングや、スクロール、スワイプ、竜頭回し、操作アイコン指定などの操作が想定される。
【０１７７】
第１の実施の形態では、第１種操作ＯＰ１と第２種操作ＯＰ２は、いずれも表示画像が第１方向へ進行するスクロールを指示する操作とする例を挙げた（図１３参照）。
コマ送り操作と同方向のスクロール操作に応じてコマ間に拡大文字コマを挿入して表示させる態様としたことで、コマ送りの流れの中で自然な形で拡大文字コマを見せることができる。
漫画コンテンツを読み進めるにあたり拡大操作→縮小操作→コマ送り操作・・・を繰り返すといった煩わしさも解消できる。
スクロール操作の実際の操作態様としては、例えば画面上をスワイプしたり、画面上のスクロールボタンを操作したり、竜頭を回すといった操作態様が想定される。
第１種操作ＯＰ１と第２種操作ＯＰ２は、例えば操作速度や、シングル／ダブルタップ、短押し／長押し、弱タップ／強タップなどの操作態様で区別することが想定される。
【０１７８】
なお第３種操作ＯＰ３も操作速度で区別するものとしたが、第１の実施の形態における第１種操作ＯＰ１、第２種操作ＯＰ２、第３種操作ＯＰ３をシングル／ダブルタップ／トリプルタップ、短押し／普通押し／長押し、弱タップ／中タップ／強タップなどの操作態様で区別することが想定される。
操作ｉＯＰ１、操作ｉＯＰ２、操作ｉＯＰ３についての区別も同様である。
また第２の実施の形態における第１種操作ＯＰ１と第３種操作ＯＰ３についても、操作速度や、シングル／ダブルタップ、短押し／長押し、弱タップ／強タップなどの操作態様で区別することが想定される。操作ｉＯＰ１と操作ｉＯＰ３についても同様である。
【０１７９】
第１の実施の形態において、特に第１種操作ＯＰ１と第２種操作ＯＰ２を、スクロールを指示する操作の操作速度により区別する場合、速めのスクロール操作を行うと拡大文字コマが挿入されないスムースなコマ送りが行われ、例えばコマ間を移動したいだけであるのにいちいち拡大所定コマが挿入されてしまうという煩わしさは生じない。
また、拡大文字コマを見たいときはゆっくりスクロール操作を行えばよく、感覚的にわかりやすい操作となる。
なお操作速度とは例えばスワイプやスライドの速度などである。
【０１８０】
また第１方向へ表示画像が進行するスクロールを指示する操作の操作速度により第１種操作ＯＰ１及び第２種操作ＯＰ２と区別される第３種操作ＯＰ３を検知し、第３種操作ＯＰ３に応じて、複数の単位画像を連続してスクロール進行させる表示制御を行う例を示した。第３種操作ＯＰ３によって、複数のコマが高速でスクロールされていく。これにより主コマの移動をよりスムースとする操作モードを提供でき、閲覧時の利便を向上させることができる。
操作ｉＯＰ３によっても同様に、コマの戻りをスムースとする操作モードを提供できる。
【０１８１】
第１の実施の形態では、拡大文字コマを表示させている時点では、第１種操作ＯＰ１又は第２種操作ＯＰ２のいずれが検知された場合でも、主コマの表示に遷移させる例を示した（図１０，図１１参照）
つまり拡大文字コマの表示中は、第１種操作ＯＰ１と第２種操作ＯＰ２を区別せずに例えば次の主コマ、又は拡大文字コマが対応する元の主コマの表示に移行させる。
従って拡大文字コマを表示した後は、必ず本来の漫画コンテンツを構成する主コマの表示になる。これによりユーザは、拡大文字を読んだ後に、スムースに元の漫画に戻ることができる。特に拡大文字コマを読んだ後に、他の主コマの拡大文字コマに移行してしまうと、本来の漫画画像から逸脱して読みにくい（内容がわかりにくい）ものとなることが想定される。そこで必ず主コマに戻ることで読みやすさを向上させる。更にそのために第１種操作ＯＰ１と第２種操作ＯＰ２を区別しないことで、操作性を向上させることができる。
【０１８２】
第１の実施の形態では、或る主コマを表示させているときに、第１方向（コマの読み順方向）とは逆方向への表示画像の遷移を指示する操作が検知された場合、表示中の主コマの前の順序の主コマの表示制御を行う。また或る拡大文字コマを表示させているときに、第１方向とは逆方向への表示画像の遷移を指示する操作が検知された場合、表示中の拡大文字コマが対応する元の主コマの表示制御を行うようにしている。
即ち第１種操作ＯＰ１及び第２種操作ＯＰ２の方向とは逆方向の操作ｉＯＰ１，ｉＯＰ２に応じて、順番的に前の画像を表示する。この場合に、主コマを表示していた場合は、順番的に前の主コマに切り替え（例えば図１１Ｃ→図１１Ｂ→図１１Ａ）、拡大文字コマを表示していた場合は、元の主コマに切り替える（例えば図１１Ｊ→図１１Ｉ→図１１Ｈ）。
第１種操作ＯＰ１及び第２種操作ＯＰ２の方向とは逆方向の画面遷移を指示する操作ｉＯＰ１、ｉＯＰ２に応じて、順番的に前の画像を表示することがユーザの操作感覚にマッチして、ストレスのない操作を提供できる。
特にこの場合も、必ず主コマに移行することで、漫画コンテンツの閲覧に適切となる。ユーザにとっては、或る主コマの前は、前の主コマであり、また或る拡大文字コマの前は元の主コマという感覚が自然であるためである。
【０１８３】
図５Ｂで例示したように、表示対象の漫画コンテンツは、拡大文字コマの画像サイズが、拡大文字コマが対応する主コマ内の文字数に応じたサイズに設定されているようにしてもよい。例えば文字が少ない主コマについての拡大文字コマは画像配列方向のサイズが短く、文字が多い主コマについての拡大文字コマは画像配列方向のサイズが長くなる。
これにより画像配列方向への遷移の操作の際に、拡大文字画像の部分は、必要なサイズのみで表示が進行される。従って、無駄な空白部分を進行させるような操作をユーザに課すことがない。
【０１８４】
図４Ｂや図５Ｂの拡大文字コマ＃４ｓに例示したように、表示対象とする漫画コンテンツは、吹き出し領域３０内に文字表示が行われる主コマを有するとともに、複数の吹き出し領域３０を有する主コマに対応する拡大文字コマは、各吹き出し領域３０の文字が区別されて拡大文字が表示される画像とされている。
これによりユーザは各吹き出しの文字を的確に認識できる。特に、文字の表示順序を吹き出しの順に応じた順にしたり、各吹き出しの発言者を明示するなどすれば、コンテンツの読み進め易さをより向上できる。
例えば、日本の漫画の場合、ひとコマ内に複数の吹き出しがある場合は、通常、右上から順に読むように描かれている。そのような場合、拡大文字コマでは、元のコマの右上の吹き出しの文字から順に表記することで、読みやすいものとなる。
【０１８５】
第２の実施の形態では、漫画コンテンツは、複数の主コマ（単位画像）が第１方向（コマの読み順方向）に順次配列されると共に、主コマに対応する拡大文字コマ（拡大文字画像）は、主コマに対して第１方向とは異なる第２方向に隣接配置されている。
そして表示制御部５ｂは、主コマを表示させているときに第１種操作ＯＰ１が検知されたことに応じて、第１方向に並ぶ次の主コマが表示されるように表示制御を行い、また主コマを表示させているときに第２種操作ＯＰ２が検知されたことに応じて、表示中の主コマについての拡大文字コマが表示されるように表示制御を行う（図１９〜図２２参照）。
つまり漫画コンテンツは主コマ＃１→主コマ＃２→主コマ＃３・・・という順番で仮想的に単位画像が第１方向に並ぶようにされている。そして拡大文字コマが主コマから第２方向に隣接配置されている。この場合に、或る主コマから、次の主コマに進むか、或いは拡大文字コマに進むかが、第１種操作ＯＰ１と第２種操作ＯＰ２で区別される。
漫画コンテンツの閲覧時に主コマの進行が第１方向であるとして、ユーザにとってわかりやすく操作しやすいものとなる。特に一画面１コマの表示の場合に適している。
そして拡大文字コマについては、主コマの進行方向とは別方向とすることで、主コマ進行とは区別しやすい操作感をユーザに与えることができる。
【０１８６】
この場合、表示制御部５ｂは、図１９の例のように主コマを表示させているときに第１種操作ＯＰ１が検知されたことに応じて、表示画像が第１方向へ進行する状態を経て（つまりスクロールして）第１方向に並ぶ次の主コマが表示されるように表示制御を行いようにしてもよい。また主コマを表示させているときに第２種操作ＯＰ２が検知されたことに応じて、表示画像が第２方向へ進行する状態を経て（つまりスクロールして）、表示中の主コマについての拡大文字コマが表示されるように表示制御を行うようにしてもよい。つまり縦横のスクロール移動を行うようにする。これによりユーザにとって方向遷移がわかりやすくなる。
一方で、図２０の例のように、スクロールをせずにコマの切替を行うようにすると、コマ遷移を迅速化できる。
従って第２の実施の形態の場合も、コマの遷移をスクロールで行うか、瞬間的な切替で行うかをユーザが好みにより選択できるようにしてもよい。
【０１８７】
第２の実施の形態では、第１種操作ＯＰ１は表示画像の第１方向への遷移を指示する操作であり、第２種操作ＯＰ２は表示画像の第２方向への遷移を指示する操作としている。
即ち画面上で画像の遷移を指示する操作として、第１種操作ＯＰ１と第２種操作ＯＰ２は、画像の並び方向に応じてそれぞれ第１方向、第２方向の操作とする。
この場合、主コマの送り方向のスワイプ等の操作によっては常に主コマ送りが行われ、拡大文字コマ方向のスワイプ等の操作によっては常に拡大文字表示が行われることになるので、主コマの進行と、拡大文字コマの表示のそれぞれの操作方向に統一感があり、ユーザにとって必要な操作が直感的に分かりやすいものとできる。
またコンテンツを読み進めるにあたり拡大操作→縮小操作→コマ送り操作・・・を繰り返すといった煩わしさも解消できる。
【０１８８】
第２の実施の形態では、漫画コンテンツは、吹き出し領域内に文字表示が行われる主コマを有するとともに、複数の吹き出し領域３０を有する主コマに対応して、複数の拡大文字コマが設けられ、主コマ内での吹き出し領域３０の位置関係に応じて、複数の拡大文字コマの配置位置関係が設定されている（例えば図７Ｂの主コマ＃４、拡大文字コマ＃４ｓ１，＃４ｓ２）。そして表示制御部５ｂは、前記第２方向を指示する操作（第２種操作ＯＰ２及び操作ｉＯＰ２）で指示される方向に応じていずれかの拡大文字コマの表示制御を行うようにしている。即ち主コマ内の複数の吹き出しの位置関係にあわせた方向性で、それぞれ対応する拡大文字が表示される（図２２参照）。
これにより主コマに複数の吹き出しがある場合に、ユーザは各吹き出しの文字を見るための操作を感覚的に実行できる。例えば右の吹き出しの拡大文字を見たいときは右方向を指定する第２種操作ＯＰ２、左の吹き出しの拡大文字を見たいときは左方向を指定する操作ｉＯＰ２などと理解しやすい。これにより操作性を向上できる。
なお、１つの拡大文字コマが、主コマ内での吹き出し領域３０の位置に応じて左右に配置される図１８の場合も同様である。
【０１８９】
第２の実施の形態では、表示制御部５ｂは、或る主コマを表示させているときに第１方向とは逆方向への表示画像の遷移を指示する操作ｉＯＰ１が検知された場合、表示中の主コマの前の順序の主コマの表示制御を行う（例えば図１９のＳ３２４）。また或る拡大文字コマを表示させているときに、第２方向とは逆方向への表示画像の遷移を指示する操作ｉＯＰ２が検知された場合、表示中の拡大文字コマが対応する元の単位画像、又は次の単位画像の表示制御を行う（例えば図１９のＳ３４１，図２１のＳ３４６→Ｓ３１２）ことが考えられる。
第１種操作ＯＰ１の第１方向を指示する操作や、第２種操作ＯＰ２の第２方向における一方を指示する操作とは逆方向の操作ｉＯＰ１、ｉＯＰ２に応じて、順番的に前の画像を表示する。この場合に、主コマを表示していた場合は、順番的に前の主コマに切り替え、拡大文字コマを表示していた場合は、元の主コマ又は次の主コマに切り替える。
このように逆方向の操作ｉＯＰ１、ｉＯＰ２に応じては、順番的に前の画像を表示することがユーザの操作感覚にマッチして、ストレスのない操作を提供できる。
特にこの場合も、必ず主コマに移行することで、漫画コンテンツの閲覧に適切となる。ユーザにとっては、或る主コマの前は、前の主コマであるためである。
また或る拡大文字コマからの逆方向指示の操作ｉＯＰ２によっては元の主コマに戻ることは、操作感に合致している。但し、このときに次の主コマに移行するようにすれば、漫画の読み進めに便利となる。
【０１９０】
実施の形態では、コンテンツサーバ２の処理として、図８、図９で漫画コンテンツ準備処理について述べた。
図３Ａの機能構成を持ち、図８，図９の処理を行うコンテンツサーバ２としての情報処理装置は、漫画コンテンツを構成する主コマ（単位画像）内で文字表示用に設けられた吹き出し領域３０を特定する特定処理部２ｂと、特定処理部２ｂで特定された吹き出し領域３０に表記されている文字を拡大して表示する拡大文字コマ（拡大文字画像）を生成する画像生成部２ｃと、画像生成部２ｃが生成した拡大文字コマを、主コマに関連づけて漫画コンテンツに組み込むコンテンツ編集処理部２ｄとを備える。
即ち漫画コンテンツを構成する各主コマに拡大文字コマを対応づけた表示用の漫画コンテンツを作成する。
これにより主コマに対して吹き出し領域３０などに表記される文字を拡大した拡大文字コマを付加した漫画コンテンツをユーザ端末５に提供でき、ユーザ端末５において上述したように各種の拡大文字コマの表示制御を実行させることができる。
【０１９１】
なお、漫画コンテンツ準備処理を行うのはコンテンツサーバ２としたが、ユーザ端末５側のアプリケーションソフトウエアの処理として実行されるようにしてもよい。
例えばコンテンツサーバ２が図４Ａのような漫画コンテンツをユーザ端末５に送信する。ユーザ端末５では、図８，図９の処理を行って元の漫画コンテンツについて拡大文字コマを自動生成して図４Ｂ、図５Ｂ、図６Ｂ、図７Ｂのように配置した表示用の漫画コンテンツを用意する。そしてその漫画コンテンツについて表示制御を行う。
このようにするには、例えばアプリケーションソフトウエアをインストールすることでユーザ端末５側に、図２４Ｂの機能構成が備えられるようにする。即ち特定処理部２ｂ、画像生成部２ｃ、コンテンツ編集処理部２ｄ、コンテンツ取得管理部５ａ、表示制御部５ｂ、操作検知部５ｃが設けられるようにする。その場合、図８、図９の処理を行う本発明の情報処理装置はユーザ端末５が該当することになる。
また、そのような情報処理装置は、コンテンツサーバ２に漫画コンテンツを提供する者のコンピュータ装置等としても実現される。例えば漫画コンテンツの提供者、制作者（作家や出版社等）のコンピュータ装置、画像編集装置などとして特定処理部２ｂ、画像生成部２ｃ、コンテンツ編集処理部２ｄを備えるようにし、図８，図９のような処理が行われる場合である。
【０１９２】
実施の形態では、これらの情報処理装置におけるコンテンツ編集処理部５ａが、一の主コマと次の主コマの間に、一の主コマについての拡大文字コマが挿入される順序で、複数の主コマと拡大文字コマが第１方向に並ぶ画像配列とするように表示コンテンツを編集する例を述べた（図４Ｂ、図５Ｂの例）。
これにより漫画コンテンツの閲覧時にコマの進行が一方向で、第１種操作ＯＰ１と第２種操作ＯＰ２を一方向で区別させる態様に好適な表示コンテンツが作成される。
【０１９３】
また実施の形態の情報処理装置におけるコンテンツ編集処理部５ａが、複数の主コマが第１方向に順次配列されると共に、主コマに対応する拡大文字コマが、主コマに対して第１方向とは異なる第２方向に隣接配置されるように、表示コンテンツを編集する例を述べた（図６Ｂ、図７Ｂの例）。
これにより漫画コンテンツの閲覧時にコマの進行が第１方向で、拡大文字コマの閲覧が第２方向となり、第１方向を指示する第１種操作と第２方向を指示する第２種操作で画像送りを指示させる態様に好適な表示コンテンツが作成される。
【０１９４】
以上の実施の形態のコンテンツサーバ２やユーザ端末５などの情報処理装置に適用できる本発明の変形例はさらに多様に考えられる。
第１種操作ＯＰ１、第２種操作ＯＰ２、第３種操作ＯＰ３、操作ｉＯＰ１、操作ｉＯＰ２、操作ｉＯＰ３等に適用できる操作は、タップ操作、ピンチ操作、スワイプ操作、フリック操作、３Ｄタッチ操作（通常タップと強押しタップで使い分ける操作）、キー操作、竜頭操作、空間でのジェスチャ操作、振るなどにより振動を与える操作、視線位置による操作、音声による操作など、多様な操作態様が適用できる。
【０１９５】
また実施の形態では特に拡大文字コマは、主コマの吹き出し領域３０内の文字を拡大表示した者として説明したが、必ずしも吹き出し領域３０内の文字に限らなくてもよい。漫画の場合、主コマ内に吹き出し外に文字が記載されることもある。そのような文字の拡大文字を拡大文字コマに表記してもよい。
また、１つの主コマに対して拡大文字コマが１つ或いは２つの例を示したが、３つ以上の拡大文字コマが設けられてもよい。その場合、第２種操作ＯＰ２や操作ｉＯＰ２で、複数の拡大文字コマが順番に遷移されるようにすればよい。
【０１９６】
表示コンテンツの例として漫画コンテンツを挙げたが、漫画以外の表示コンテンツでも本発明を適用できる。
例えば百人一首等の絵と文字が混在する画像、解説文や説明文が付加された絵、写真などの画像など、絵や写真に加えて文字が表記される画像を有するコンテンツであれば、本発明は好適に適用できる。
【０１９７】
＜８．プログラム及び記憶媒体＞
以上、本発明の情報処理装置の実施の形態としての情報処理装置（ユーザ端末５やコンテンツサーバ２等）を説明してきたが、第１の本発明の実施の形態のプログラムは、表示制御部５ｂ、操作検知部５ｃとしての処理を情報処理装置（ＣＰＵ等）に実行させるプログラムである。
【０１９８】
第１の本発明の実施の形態のプログラムは、複数の主コマ（単位画像）が所定順序で順次表示対象とされるとともに、文字表示を含む主コマについては当該主コマ内の文字を拡大表示する画像である拡大文字コマ（拡大文字画像）が対応づけられている漫画コンテンツの表示制御を行う表示制御手順と、漫画コンテンツの表示中において第１種操作ＯＰ１と第２種操作ＯＰ２を検知する操作検知手順とを情報処理装置に実行させる。特に表示制御手順では、或る主コマを表示させているときに第１種操作ＯＰ１が検知されたことに応じた表示中の主コマの後の順序の主コマの表示制御と、或る主コマを表示させているときに第２種操作ＯＰ２が検知されたことに応じた表示中の主コマに対応する拡大文字コマの表示制御とを情報処理装置に実行させるプログラムである。
即ちこのプログラムは、情報処理装置に対して図１３、図１４、図１９、図２０、図２１、図２２、又は図２３で説明した処理を実行させるプログラムである。
【０１９９】
第２の本発明の実施の形態のプログラムは、特定処理部２ｂ、画像生成部２ｃ、コンテンツ編集処理部２ｄとしての処理を情報処理装置（ＣＰＵ等）に実行させるプログラムである。
第２の本発明の実施の形態のプログラムは、漫画コンテンツを構成する主コマ内で文字表示用に設けられた吹き出し領域３０を特定する特定手順と、特定手順で特定された吹き出し領域３０に表記されている文字を拡大して表示する拡大文字コマを生成する画像生成手順と、画像生成手順で生成した拡大文字コマを、主コマに関連づけて漫画コンテンツに組み込むコンテンツ編集手順とを情報処理装置に実行させるプログラムである。
即ちこのプログラムは、情報処理装置に対して図８及び図９で説明した処理を実行させるプログラムである。
【０２００】
これらのプログラムにより、上述したコンテンツサーバ２やユーザ端末５としての１又は複数の情報処理装置を実現できる。
そしてこのようなプログラムはコンピュータ装置等の機器に内蔵されている記憶媒体としてのＨＤＤや、ＣＰＵを有するマイクロコンピュータ内のＲＯＭ等に予め記憶しておくことができる。あるいはまた、半導体メモリ、メモリカード、光ディスク、光磁気ディスク、磁気ディスクなどのリムーバブル記憶媒体に、一時的あるいは永続的に格納（記憶）しておくことができる。またこのようなリムーバブル記憶媒体は、いわゆるパッケージソフトウェアとして提供することができる。
また、このようなプログラムは、リムーバブル記憶媒体からパーソナルコンピュータ等にインストールする他、ダウンロードサイトから、ＬＡＮ、インターネットなどのネットワークを介してダウンロードすることもできる。
【符号の説明】
【０２０１】
１  ネットワーク、２  コンテンツサーバ、２ａ  コンテンツ管理部、２ｂ  特定処理部、２ｃ  画像生成部、２ｄ  コンテンツ編集処理部、３  コンテンツＤＢ、５  ユーザ端末、５ａ コンテンツ取得管理部、５ｂ  表示制御部、５ｃ  操作検知部、１０  表示部、１１  竜頭、３０  吹き出し領域
【図１】
0006517445.tif 000002
【図２】
0006517445.tif 000003
【図３】
0006517445.tif 000004
【図４】
0006517445.tif 000005
【図５】
0006517445.tif 000006
【図６】
0006517445.tif 000007
【図７】
0006517445.tif 000008
【図８】
0006517445.tif 000009
【図９】
0006517445.tif 000010
【図１０】
0006517445.tif 000011
【図１１】
0006517445.tif 000012
【図１２】
0006517445.tif 000013
【図１３】
0006517445.tif 000014
【図１４】
0006517445.tif 000015
【図１５】
0006517445.tif 000016
【図１６】
0006517445.tif 000017
【図１７】
0006517445.tif 000018
【図１８】
0006517445.tif 000019
【図１９】
0006517445.tif 000020
【図２０】
0006517445.tif 000021
【図２１】
0006517445.tif 000022
【図２２】
0006517445.tif 000023
【図２３】
0006517445.tif 000024
【図２４】
0006517445.tif 000025